(57)【要約】      （修正有）【課題】ワイヤレス通信システム上のバースト性干渉の存在を検出して管理するためのシステム、方法およびデバイスを提供する。【解決手段】ワイヤレスデバイスにおいてプロセス１０００は、送信デバイスからメッセージを受信する１００５。メッセージが、バースト性干渉によって引き起こされたエラーを含むかどうか判断する１００８。バースト性干渉が検出されると、チャネル追跡を中断し、送信デバイスにバースト性干渉を報告する１０１０。【選択図】図１０Ａ
2018074600.tif 000002
【特許請求の範囲】
【請求項１】
ワイヤレスネットワーク上でのバースト性干渉の存在をシグナリングする方法であって、
前記ワイヤレスネットワークからメッセージを受信することと、
前記メッセージが、バースト性干渉によって引き起こされたエラーを含むかどうか判断することと、
ブロック肯定応答メッセージを送信することと、前記ブロック肯定応答メッセージは、前記受信メッセージが、バースト性干渉によって引き起こされたエラーを含んでいたかどうかを示す、
を備える方法。
【請求項２】
前記判断することは、
パイロットチャネルについての周波数オフセットおよび／または位相を追跡することと、
前記追跡された周波数オフセットおよび／または位相に基づいて、データチャネルに複数の訂正を適用することと、
前記追跡された周波数オフセットおよび／または位相に基づいて、バースト性干渉を検出することと、
を備える、請求項１に記載の方法。
【請求項３】
前記追跡された周波数オフセットおよび／または位相に基づいてバースト性干渉を前記検出することは、少なくとも１つのオフセットを閾値オフセットと比較することを備える、請求項２に記載の方法。
【請求項４】
前記判断することは、
前記メッセージについてのエラーおよび強度基準を追跡することと、および
前記エラーおよび強度基準に基づいてバースト性干渉を検出することとを備える、請求項１に記載の方法。
【請求項５】
前記エラーおよび強度基準に基づいてバースト性干渉を検出することは、前記エラーおよび強度基準の間の比を算出することと、前記比を閾値と比較することとを備える、請求項４に記載の方法。
【請求項６】
前記エラー基準は受信エラーベクトルの大きさ（ＥＶＭ）を備え、前記強度基準は、受信信号強度インジケータ（ＲＳＳＩ）からノイズフロアを差し引いたものを備える、請求項４に記載の方法。
【請求項７】
前記判断することは、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、
を備える、請求項１に記載の方法。
【請求項８】
バースト性干渉が検出されるとき、チャネル追跡を中断することをさらに備える、請求項１に記載の方法。
【請求項９】
前記表示は、前記ブロック肯定応答中の１つまたは複数の予約されたビットによって示される、請求項１に記載の方法。
【請求項１０】
前記表示は、前記受信メッセージ中での、バースト性干渉によって引き起こされたエラーの数量を示す、請求項１に記載の方法。
【請求項１１】
ワイヤレスネットワーク上でのバースト性干渉の存在をシグナリングするための装置であって、
前記ワイヤレスネットワークからメッセージを受信するように構成された受信機と、
前記メッセージが、バースト性干渉によって引き起こされたエラーを含むかどうか判断するように構成されたプロセッサと、
ブロック肯定応答メッセージを送信するように構成された送信機と、前記ブロック肯定応答メッセージは、前記受信メッセージが、バースト性干渉によって引き起こされたエラーを含んでいたかどうかを示す、を備える上記装置。
【請求項１２】
前記判断することが、
パイロットチャネルについての周波数オフセットおよび／または位相を追跡することと、
前記追跡された周波数オフセットおよび／または位相に基づいて、データチャネルに訂正を適用することと、
前記追跡された周波数オフセットおよび／または位相に基づいて、バースト性干渉を検出することとを備える、請求項１１に記載の装置。
【請求項１３】
前記追跡された周波数オフセットおよび／または位相に基づいてバースト性干渉を前記検出することは、少なくとも１つのオフセットを閾値オフセットと比較することを備える、請求項１２に記載の装置。
【請求項１４】
前記判断することは、
前記メッセージについてのエラーおよび強度基準を追跡することと、
前記エラーおよび強度基準に基づいてバースト性干渉を検出することとを備える、請求項１１に記載の装置。
【請求項１５】
前記エラーおよび強度基準に基づいてバースト性干渉を検出することは、前記エラーおよび強度基準の間の比を算出することと、および前記比を閾値と比較することとを備える、請求項１４に記載の装置。
【請求項１６】
前記エラー基準は受信エラーベクトルの大きさ（ＥＶＭ）を備え、および前記強度基準は、受信信号強度インジケータ（ＲＳＳＩ）からノイズフロアを差し引いたものを備える、請求項１４に記載の装置。
【請求項１７】
前記判断することが、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、
を備える、請求項１１に記載の装置。
【請求項１８】
バースト性干渉が検出されるとき、チャネル追跡を中断するように構成されたプロセッサをさらに備える、請求項１１に記載の装置。
【請求項１９】
前記表示は、前記ブロック肯定応答中の１つまたは複数の予約されたビットによって示される、請求項１１に記載の装置。
【請求項２０】
前記表示は、前記受信メッセージ中での、バースト性干渉によって引き起こされたエラーの数量を示す、請求項１１に記載の装置。
【請求項２１】
ワイヤレスネットワーク上でのバースト性干渉の存在をシグナリングするための装置であって、
前記ワイヤレスネットワークからメッセージを受信するための手段と、
前記メッセージが、バースト性干渉によって引き起こされたエラーを含むかどうか判断するための手段と、
ブロック肯定応答メッセージを送信するための手段と、前記ブロック肯定応答メッセージは、前記受信メッセージが、バースト性干渉によって引き起こされたエラーを含んでいたかどうかを示す、を備える装置。
【請求項２２】
判断するための前記手段が、
パイロットチャネルについての周波数オフセットおよび／または位相を追跡し、
前記追跡された周波数オフセットおよび／または位相に基づいて、データチャネルに訂正を適用し、
前記追跡された周波数オフセットおよび／または位相に基づいて、バースト性干渉を検出するように構成される、請求項２１に記載の装置。
【請求項２３】
前記追跡された周波数オフセットおよび／または位相に基づいてバースト性干渉を前記検出することは、少なくとも１つのオフセットを閾値オフセットと比較することを備える、請求項２２に記載の装置。
【請求項２４】
判断するための前記手段が、
前記メッセージについてのエラーおよび強度基準を追跡し、
前記エラーおよび強度基準に基づいてバースト性干渉を検出する、ように構成される、請求項２１に記載の装置。
【請求項２５】
前記エラーおよび強度基準に基づいてバースト性干渉を検出することが、前記エラーおよび強度基準の間の比を算出することと、前記比を閾値と比較することとを備える、請求項２４に記載の装置。
【請求項２６】
前記エラー基準は受信エラーベクトルの大きさ（ＥＶＭ）を備え、および前記強度基準は、受信信号強度インジケータ（ＲＳＳＩ）からノイズフロアを差し引いたものを備える、請求項２４に記載の装置。
【請求項２７】
前記判断することが、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することとを備える、請求項２１に記載の装置。
【請求項２８】
バースト性干渉が検出されるとき、チャネル追跡を中断するための手段を、さらに備える、請求項２１に記載の装置。
【請求項２９】
前記表示は、前記ブロック肯定応答中の１つまたは複数の予約済みビットによって示される、請求項２２に記載の装置。
【請求項３０】
前記表示は、前記受信メッセージ中でのバースト性干渉によって引き起こされたエラーの数量を示す、請求項２１に記載の装置。
【請求項３１】
前記送信メッセージのメディアアクセス制御ヘッダのタイプおよびサブタイプが、肯定応答メッセージを示す、請求項２１に記載の装置。
【請求項３２】
プロセッサによって実行されるとき、前記プロセッサに、ワイヤレスネットワーク上でのバースト性干渉の存在をシグナリングする方法を実施させる命令を備えるコンピュータ可読記憶媒体であって、前記方法は、
前記ワイヤレスネットワークからメッセージを受信することと、
前記メッセージが、バースト性干渉によって引き起こされたエラーを含むかどうか判断することと、
ブロック肯定応答メッセージを送信することと、前記ブロック肯定応答メッセージは、前記受信メッセージが、バースト性干渉によって引き起こされたエラーを含んでいたかどうかを示す、を備える、コンピュータ可読記憶媒体。
【請求項３３】
前記判断することが、
パイロットチャネルについての周波数オフセットおよび／または位相を追跡することと、
前記追跡された周波数オフセットおよび／または位相に基づいて、データチャネルに訂正を適用することと、
前記追跡された周波数オフセットおよび／または位相に基づいて、バースト性干渉を検出することとを備える、
請求項３２に記載のコンピュータ可読記憶媒体。
【請求項３４】
前記追跡された周波数オフセットおよび／または位相に基づいてバースト性干渉を前記検出することは、少なくとも１つのオフセットを閾値オフセットと比較することを備える、請求項３３に記載のコンピュータ可読記憶媒体。
【請求項３５】
前記判断することが、
前記メッセージについてのエラーおよび強度基準を追跡することと、
前記エラーおよび強度基準に基づいてバースト性干渉を検出することとを備える、
請求項３２に記載のコンピュータ可読記憶媒体。
【請求項３６】
前記エラーおよび強度基準に基づいてバースト性干渉を検出することが、前記エラーおよび強度基準の間の比を算出することと、前記比を閾値と比較することとを備える、請求項３５に記載のコンピュータ可読記憶媒体。
【請求項３７】
前記エラー基準は受信エラーベクトルの大きさ（ＥＶＭ）を備え、前記強度基準は、受信信号強度インジケータ（ＲＳＳＩ）からノイズフロアを差し引いたものを備える、請求項３５に記載のコンピュータ可読記憶媒体。
【請求項３８】
前記判断することが、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することとを備える、請求項３２に記載のコンピュータ可読記憶媒体。
【請求項３９】
パケット検出が、プリアンブル検出およびガード間隔検出のうちの１つまたは複数を備える、請求項３８に記載のコンピュータ可読記憶媒体。
【請求項４０】
前記方法が、バースト性干渉が検出されるとき、チャネル追跡を中断することをさらに備える、請求項３２に記載のコンピュータ可読記憶媒体。
【請求項４１】
前記表示が、前記ブロック肯定応答中の１つまたは複数の予約されたビットによって示される、請求項３３に記載のコンピュータ可読記憶媒体。
【請求項４２】
前記表示が、前記受信メッセージ中での、バースト性干渉によって引き起こされたエラーの数量を示す、請求項３３に記載のコンピュータ可読記憶媒体。
【請求項４３】
前記送信メッセージのメディアアクセス制御ヘッダのタイプおよびサブタイプが、肯定応答メッセージを示す、請求項３２に記載のコンピュータ可読記憶媒体。
【請求項４４】
ワイヤレスネットワーク上でのバースト性干渉の存在をシグナリングする方法であって、
前記ワイヤレスネットワーク上でメッセージを送信することと、
前記送信メッセージの受信が、バースト性干渉によって引き起こされたエラーを含んでいたかどうかを示すブロック肯定応答メッセージを受信すること、
とを備える方法。
【請求項４５】
前記表示が、前記ブロック肯定応答中の１つまたは複数の予約されたビットによって示される、請求項４４に記載の方法。
【請求項４６】
前記表示が、バースト性干渉によって引き起こされたエラーの数量を示す、請求項４４に記載の方法。
【請求項４７】
前記表示に基づいて送信パラメータを修正することをさらに備える、請求項４４に記載の方法。
【請求項４８】
ワイヤレスネットワーク上でのバースト性干渉の存在をシグナリングするための装置であって、
前記ワイヤレスネットワーク上でメッセージを送信するように構成された送信機と、
ブロック肯定応答メッセージを受信するように構成された受信機と、前記ブロック肯定応答メッセージは、前記送信メッセージの受信が、バースト性干渉によって引き起こされたエラーを含んでいたかどうかを示す、
を備える上記装置。
【請求項４９】
前記表示は、前記ブロック肯定応答中の１つまたは複数の予約されたビットによって示される、請求項４８に記載の装置。
【請求項５０】
前記表示が、バースト性干渉によって引き起こされたエラーの数量を示す、請求項４８に記載の装置。
【請求項５１】
前記表示に基づいて、送信パラメータを修正するように構成されたプロセッサをさらに備える、請求項４８に記載の装置。
【請求項５２】
前記送信メッセージのメディアアクセス制御ヘッダのタイプおよびサブタイプが、肯定応答メッセージを示す、請求項４８に記載の装置。
【請求項５３】
ワイヤレスネットワーク上でのバースト性干渉の存在をシグナリングするための装置であって、
前記ワイヤレスネットワーク上でメッセージを送信するための手段と、
ブロック肯定応答メッセージを受信するための手段と、前記ブロック肯定応答メッセージは、前記送信メッセージの受信が、バースト性干渉によって引き起こされたエラーを含んでいたかどうかを示す、を備える上記装置。
【請求項５４】
前記表示が、前記ブロック肯定応答中の１つまたは複数の予約されたビットによって示される、請求項５３に記載の装置。
【請求項５５】
前記表示が、バースト性干渉によって引き起こされたエラーの数量を示す、請求項５３に記載の装置。
【請求項５６】
前記表示に基づいて、送信パラメータを修正するための手段をさらに備える、請求項５３に記載の装置。
【請求項５７】
前記送信メッセージのメディアアクセス制御ヘッダのタイプおよびサブタイプが、肯定応答メッセージを示す、請求項５３に記載の装置。、
【請求項５８】
ワイヤレスネットワーク上でのバースト性干渉の存在をシグナリングするための装置であって、
前記ワイヤレスネットワーク上でメッセージを送信するための手段と、
前記送信メッセージの受信が、バースト性干渉によって引き起こされたエラーを含んでいたかどうかを示すブロック肯定応答メッセージを受信するための手段と、
を備える上記装置。
【請求項５９】
前記表示が、前記ブロック肯定応答中の１つまたは複数の予約されたビットによって示される、請求項５８に記載の装置。
【請求項６０】
前記表示が、バースト性干渉によって引き起こされたエラーの数量を示す、請求項５８に記載の装置。
【請求項６１】
前記表示に基づいて、送信パラメータを修正するための手段をさらに備える、請求項５８に記載の装置。
【請求項６２】
前記送信メッセージのメディアアクセス制御ヘッダのタイプおよびサブタイプが、肯定応答メッセージを示す、請求項５８に記載の装置、
【請求項６３】
プロセッサによって実行されるとき、前記プロセッサに、ワイヤレスネットワーク上でのバースト性干渉の存在をシグナリングする方法を実施させる命令を備えるコンピュータ可読記憶媒体であって、前記方法は、
前記ワイヤレスネットワーク上でメッセージを送信することと、
ブロック肯定応答メッセージを受信することと、前記ブロック肯定応答メッセージは、前記送信メッセージの受信が、バースト性干渉によって引き起こされたエラーを含んでいたかどうかを示す、
を備えるコンピュータ可読記憶媒体。
【請求項６４】
前記表示が、前記ブロック肯定応答中の１つまたは複数の予約されたビットによって示される、請求項６３に記載のコンピュータ可読記憶媒体。
【請求項６５】
前記表示が、バースト性干渉によって引き起こされたエラーの数量を示す、請求項６３に記載のコンピュータ可読記憶媒体。
【請求項６６】
前記受信メッセージ中のマルチキャスト受信機アドレスフィールドが、バースト性干渉によって引き起こされたエラーを示す、請求項６３に記載のコンピュータ可読記憶媒体。
【請求項６７】
前記表示に基づいて送信パラメータを修正することをさらに備える、請求項６３に記載のコンピュータ可読記憶媒体。
【請求項６８】
前記送信メッセージのメディアアクセス制御ヘッダのタイプおよびサブタイプが、肯定応答メッセージを示す、請求項６３に記載のコンピュータ可読記憶媒体。
【請求項６９】
バースト性干渉についての情報がワイヤレス通信ネットワーク上でシグナリングされているかどうかを示す方法であって、
前記ワイヤレスネットワークからメッセージを受信することと、
メッセージを送信することと、前記メッセージは、前記送信されたメッセージが、バースト性干渉によって引き起こされたエラーを含んでいたかどうかの表示を含んでいるかどうか表示を示す、
を備える上記方法。
【請求項７０】
前記送信メッセージは、それが、前記受信メッセージはバースト性干渉によって引き起こされたエラーを含んでいたかどうか表示の表示を含まないことを示す、請求項６９に記載の方法。
【請求項７１】
前記送信メッセージがブロック肯定応答メッセージであり、予約されたフィールド中の１つまたは複数のビットは、前記メッセージが、前記受信メッセージはバースト性干渉によって引き起こされたエラーを含んでいたかどうかの表示を含んでいることを示す、請求項７０に記載の方法。
【請求項７２】
前記送信メッセージは、それが、前記受信メッセージはバースト性干渉によって引き起こされたエラーを含んでいたかどうかの表示を含むことを示す、請求項６９に記載の方法。
【請求項７３】
前記送信メッセージがブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、請求項６９に記載の方法。
【請求項７４】
バースト性干渉についての情報がワイヤレス通信ネットワーク上でシグナリングされているかどうかを示すための装置であって、
前記ワイヤレスネットワークからメッセージを受信するように構成された受信機と、
前記送信メッセージは、前記受信メッセージがバースト性干渉によって引き起こされたエラーを含んでいたかどうかの表示を含むかどうかを示すメッセージを送信するように構成された送信機と、
を備える上記装置。
【請求項７５】
前記送信メッセージは、それが、前記受信メッセージはバースト性干渉によって引き起こされたエラーを含んでいたかどうかの表示を含まないことを示す、請求項７４に記載の装置。
【請求項７６】
前記送信メッセージは、それが、前記受信メッセージはバースト性干渉によって引き起こされたエラーを含んでいたかどうかの表示を含むことを示す、請求項７４に記載の装置。
【請求項７７】
前記送信メッセージはブロック肯定応答メッセージであり、予約されたフィールド中の１つまたは複数のビットは、前記メッセージが、前記受信されたメッセージはバースト性干渉によって引き起こされたエラーを含んでいたかどうかの表示を含まないことを示す、請求項７４に記載の装置。
【請求項７８】
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、請求項７４に記載の装置。
【請求項７９】
バースト性干渉についての情報が、ワイヤレス通信ネットワーク上でシグナリングされているかどうかを示すための装置であって、
前記ワイヤレスネットワークからメッセージを受信するための手段と、および
前記送信メッセージは、前記受信メッセージがバースト性干渉によって引き起こされたエラーを含んでいたかどうかの表示を、含むかどうかを示すメッセージを送信するための手段と、
を備える上記装置。
【請求項８０】
前記送信メッセージは、それが、前記受信メッセージがバースト性干渉によって引き起こされたエラーを含んでいたかどうかの表示を、含まないことを示す、請求項７９に記載の装置。
【請求項８１】
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含まないことを示す、請求項８０に記載の装置。
【請求項８２】
前記送信メッセージは、それが、前記受信メッセージはバースト性干渉によって引き起こされたエラーを含んでいたかどうかの表示を含むことを示す、請求項７９に記載の装置。
【請求項８３】
前記送信メッセージがブロック肯定応答メッセージであり、予約されたフィールド中の１つまたは複数のビットは、前記メッセージが、前記受信メッセージは、バースト性干渉によって引き起こされたエラーを含んでいたかどうかの表示を含むことを示す、請求項８２に記載の装置。
【請求項８４】
バースト性干渉についての情報がワイヤレス通信ネットワーク上でシグナリングされているかどうかを示すための装置であって、
前記ワイヤレスネットワークからメッセージを受信するための手段と、
前記送信メッセージが、前記受信メッセージはバースト性干渉によって引き起こされたエラーを含んでいたかどうかの表示を含む表示することを示すメッセージを送信するための手段と、
を備える上記装置。
【請求項８５】
前記送信メッセージは、それが、前記受信メッセージはバースト性干渉によって引き起こされたエラーを含んでいたかどうかの表示を含まないことを示す、請求項８４に記載の装置。
【請求項８６】
前記送信メッセージはブロック肯定応答メッセージであり、予約さけたフィールド中の１つまたは複数のビットは、前記メッセージが、前記受信メッセージはバースト性干渉によって引き起こされたエラーを含んでいたかどうかの表示を、含まないことを示す、請求項８５に記載の装置。
【請求項８７】
前記送信メッセージは、前記受信メッセージがバースト性干渉によって引き起こされたエラーを含んでいたかどうかの表示を含むことを示す、請求項８４に記載の装置。
【請求項８８】
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、請求項８７に記載の装置。
【請求項８９】
プロセッサによって実行されるとき、前記プロセッサに、バースト性干渉についての情報がワイヤレス通信ネットワーク上でシグナリングされているかどうかを示す方法を実施させる命令を備えるコンピュータ可読記憶媒体であって、前記方法は、
前記ワイヤレスネットワークからメッセージを受信することと、および
送信メッセージは、前記受信メッセージがバースト性干渉によって引き起こされたエラーを含んでいたかどうかの表示を含むかどうかを示すメッセージを送信することとを備える、
コンピュータ可読記憶媒体。
【請求項９０】
前記送信メッセージは、それが、前記受信メッセージはバースト性干渉によって引き起こされたエラーを含んでいたかどうかの表示を含まないことを示す、請求項８９に記載のコンピュータ可読記憶媒体。
【請求項９１】
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含まないことを示す、請求項９０に記載のコンピュータ可読記憶媒体。
【請求項９２】
前記送信メッセージは、それが、前記受信メッセージがバースト性干渉によって引き起こされたエラーを含んでいたかどうかの表示を含むことを示す、請求項８９に記載のコンピュータ可読記憶媒体。
【請求項９３】
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、請求項９２に記載のコンピュータ可読記憶媒体。
【請求項９４】
バースト性干渉についての情報がワイヤレス通信ネットワーク上でシグナリングされているかどうかを示す方法であって、
前記ワイヤレスネットワーク上でメッセージを送信することと、
前記受信メッセージは、前記送信メッセージの受信がバースト性干渉によって引き起こされたエラーを含んでいたかどうかの表示を含むかどうかを示すメッセージを受信することと、を備える方法。
【請求項９５】
前記受信メッセージは、それが、前記送信メッセージの受信がバースト性干渉によって引き起こされたエラーを含んでいたかどうかの表示を含まないことを示す、請求項９４に記載の方法。
【請求項９６】
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含まないことを示す、請求項９５に記載の方法。
【請求項９７】
前記受信メッセージは、それが、前記送信メッセージの受信はバースト性干渉によって引き起こされたエラーを含んでいたかどうかの表示を含むことを示す請求項９４に記載の方法。
【請求項９８】
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を前記メッセージが含むことを示す、請求項９７に記載の方法。
【請求項９９】
バースト性干渉についての情報がワイヤレス通信ネットワーク上でシグナリングされているかどうかを示すための装置であって、
前記ワイヤレスネットワークからメッセージを受信するように構成された受信機と、
送信されたメッセージが、前記受信メッセージはバースト性干渉によって引き起こされたエラーを含んでいたかどうかの表示を含むかどうかを示すメッセージを送信するように構成された送信機とを備える装置。
【請求項１００】
前記受信メッセージは、それが、前記送信メッセージの受信はバースト性干渉によって引き起こされたエラーを含んでいたかどうかの表示を含まないことを示す、請求項９９に記載の装置。
【請求項１０１】
前記受信メッセージはブロック肯定応答メッセージであり、予約されたフィールド中の１つまたは複数のビットは、前記メッセージが、前記送信メッセージの受信が、バースト性干渉によって引き起こされたエラーを含んでいたかどうかの表示を含まないことを示す、請求項１００に記載の装置。
【請求項１０２】
前記受信メッセージは、それが、前記送信メッセージの受信はバースト性干渉によって引き起こされたエラーを含んでいたかどうかの表示を含むことを示す、請求項９９に記載の装置。
【請求項１０３】
前記受信メッセージはブロック肯定応答メッセージであり、予約されたフィールド中の１つまたは複数のビットは、前記送信メッセージの受信がバースト性干渉によって引き起こされたエラーを含んでいたかどうかの表示を前記メッセージが含むことを示す、請求項１０２に記載の装置。
【請求項１０４】
バースト性干渉についての情報がワイヤレス通信ネットワーク上でシグナリングされているかどうかを示すための装置であって、
前記ワイヤレスネットワークからメッセージを受信するための手段と、
前記送信されたメッセージが、前記受信メッセージはバースト性干渉によって引き起こされたエラーを含んでいたかどうかの表示を含むかどうかを示すメッセージを送信するための手段と、を備える前記装置。
【請求項１０５】
前記受信メッセージは、それが、前記送信メッセージの受信はバースト性干渉によって引き起こされたエラーを含んでいたかどうかの表示を含まないことを示す、請求項１０４に記載の装置。
【請求項１０６】
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含まないことを示す、請求項１０５に記載の装置。
【請求項１０７】
前記受信メッセージは、それが、前記送信メッセージの受信はバースト性干渉によって引き起こされたエラーを含んでいたかどうかの表示を含むことを示す、請求項１０４に記載の装置。
【請求項１０８】
前記受信メッセージはブロック肯定応答メッセージであり、予約されたフィールド中の１つまたは複数のビットは、前記メッセージは、前記送信メッセージの受信がバースト性干渉によって引き起こされたエラーを含んでいたかどうかの表示を前記メッセージが含むことを示す、請求項１０７に記載の装置。
【請求項１０９】
プロセッサによって実行されるとき、それに、バースト性干渉についての情報がワイヤレス通信ネットワーク上でシグナリングされているかどうかの方法を実施させる命令を備えるコンピュータ可読記憶媒体であって、前記方法は、
前記ワイヤレスネットワークからメッセージを受信することと、
前記送信されたメッセージが、前記受信メッセージはバースト性干渉によって引き起こされたエラーを含んでいたかどうかの表示を含むかどうか、を示すメッセージを送信することとを備える、コンピュータ可読記憶媒体。
【請求項１１０】
前記受信メッセージは、それが、前記送信メッセージの受信が、バースト性干渉によって引き起こされたエラーを含んでいたかどうかの表示を含まないことを示す、請求項１０９に記載のコンピュータ可読記憶媒体。
【請求項１１１】
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含まないことを示す、請求項１１０に記載のコンピュータ可読記憶媒体。
【請求項１１２】
前記受信メッセージは、前記送信メッセージの受信がバースト性干渉によって引き起こされたエラーを含んでいたかどうかについての情報を含むことを示す、請求項１０９に記載のコンピュータ可読記憶媒体。
【請求項１１３】
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含むことを示す、請求項１１２に記載のコンピュータ可読記憶媒体。
【請求項１１４】
ワイヤレスネットワーク上でのバースト性干渉の存在をシグナリングする方法であって、
前記ワイヤレスネットワークからメッセージを受信することと、
前記メッセージは、バースト性干渉によって引き起こされたエラーを含むかどうか判断することと、
単一のＭＰＤＵの否定応答メッセージを送信することと、前記否定応答メッセージは、前記受信メッセージが、バースト性干渉によって引き起こされたエラーを含んでいたかどうかを示す、
を備える上記方法。
【請求項１１５】
前記判断することは、
パイロットチャネルについての位相および／または周波数オフセットを追跡することと、
前記追跡された位相および／または周波数オフセットに基づいて、データチャネルに訂正を適用することと、
前記追跡された位相および／または周波数オフセットに基づいて、バースト性干渉を検出すること、
とを備える、請求項１１４に記載の方法。
【請求項１１６】
前記追跡された位相および／または周波数オフセットに基づいてバースト性干渉を前記検出することは、少なくとも１つのオフセットを閾値オフセットと比較することを備える、請求項１１５に記載の方法。
【請求項１１７】
前記送信メッセージ中のマルチキャスト受信機アドレスフィールドは、バースト性干渉によって引き起こされたエラーを示す、請求項１１４に記載の方法。
【請求項１１８】
ワイヤレスネットワーク上でのバースト性干渉の存在をシグナリングするための装置であって、
前記ワイヤレスネットワークからメッセージを受信するように構成された受信機と、
前記メッセージが、バースト性干渉によって引き起こされたエラーを含むかどうか判断するように構成されたプロセッサと、
単一のＭＰＤＵの否定応答メッセージを送信するように構成された送信機と、前記否定応答メッセージは、前記受信メッセージが、バースト性干渉によって引き起こされたエラーを含んでいたかどうかを示す、を備える上記装置。
【請求項１１９】
前記判断することは、
パイロットチャネルについての位相および／または周波数オフセットを追跡することと、
前記追跡された位相および／または周波数オフセットに基づいて、データチャネルに訂正を適用することと、
前記追跡された位相および／または周波数オフセットに基づいて、バースト性干渉を検出すること、
とを備える請求項１１８に記載の装置。
【請求項１２０】
前記追跡された位相および／または周波数オフセットに基づいてバースト性干渉を前記検出することは、少なくとも１つのオフセットを閾値オフセットと比較すること、
を備える請求項１１９に記載の装置。
【請求項１２１】
前記送信機は、前記送信メッセージ中のマルチキャスト受信機アドレスフィールドを、バースト性干渉によって引き起こされたエラーを示すようにセットするように構成される、請求項１１８に記載の装置。
【請求項１２２】
ワイヤレスネットワーク上でのバースト性干渉の存在をシグナリングするための装置であって、
前記ワイヤレスネットワークからメッセージを受信するための手段と、
前記メッセージが、バースト性干渉によって引き起こされたエラーを含むかどうか判断するための手段と、
単一のＭＰＤＵの否定応答メッセージを送信するための手段と、前記否定応答メッセージは、前記受信メッセージが、バースト性干渉によって引き起こされたエラーを含んでいたかどうかを示す、
を備える上記装置。
【請求項１２３】
判断するための前記手段は、
パイロットチャネルについての位相および／または周波数オフセットを追跡し、
前記追跡された位相および／または周波数オフセットに基づいて、データチャネルに訂正を適用し、
前記追跡された位相および／または周波数オフセットに基づいて、バースト性干渉を検出する、
ように構成される請求項１２２に記載の装置。
【請求項１２４】
前記追跡された位相および／または周波数オフセットに基づいてバースト性干渉を前記検出することは、少なくとも１つのオフセットを閾値オフセットと比較すること、
を備える、請求項１２３に記載の装置。
【請求項１２５】
前記送信メッセージのメディアアクセス制御ヘッダのタイプおよびサブタイプは肯定応答メッセージを示す、請求項１２２に記載の装置。、
【請求項１２６】
送信するための前記手段は、前記送信メッセージ中のマルチキャスト受信機アドレスフィールドを、バースト性干渉によって引き起こされたエラーを示すようにセットするように構成される、請求項１２２に記載の装置。
【請求項１２７】
プロセッサによって実行されるとき、それに、ワイヤレスネットワーク上でのバースト性干渉の存在をシグナリングする方法を実施させる命令を備えるコンピュータ可読記憶媒体であって、前記方法は、
前記ワイヤレスネットワークからメッセージを受信することと、
前記メッセージが、バースト性干渉によって引き起こされたエラーを含むかどうか判断することと、
単一のＭＰＤＵの否定応答メッセージを送信することと、前記否定応答メッセージは、前記受信メッセージがバースト性干渉によって引き起こされたエラーを含んでいたかどうかを示す、
を備える、コンピュータ可読記憶媒体。
【請求項１２８】
前記判断することは、
パイロットチャネルについての位相および／または周波数オフセットを追跡することと、
前記追跡された位相および／または周波数オフセットに基づいて、データチャネルに訂正を適用することと、
前記追跡された位相および／または周波数オフセットに基づいて、バースト性干渉を検出することとを備える、
請求項１２７に記載のコンピュータ可読記憶媒体。
【請求項１２９】
前記追跡された位相および／または周波数オフセットに基づいてバースト性干渉を前記検出することは、少なくとも１つのオフセットを閾値オフセットと比較することを備える、請求項１２８に記載のコンピュータ可読記憶媒体。
【請求項１３０】
前記送信メッセージのメディアアクセス制御ヘッダのタイプおよびサブタイプは肯定応答メッセージを示す、請求項１２７に記載のコンピュータ可読記憶媒体。
【請求項１３１】
前記送信メッセージ中のマルチキャスト受信機アドレスフィールドは、バースト性干渉によって引き起こされたエラーを示す、請求項１２７に記載のコンピュータ可読記憶媒体。
【請求項１３２】
ワイヤレスネットワーク上でのバースト性干渉の存在をシグナリングする方法であって、
前記ワイヤレスネットワーク上でメッセージを送信することと、
単一のＭＰＤＵの否定応答メッセージを受信することと、前記否定応答メッセージは、前記送信メッセージの受信が、バースト性干渉によって引き起こされたエラーを含んでいたかどうかを示す、を備える方法。
【請求項１３３】
前記表示に基づいて送信パラメータを修正することをさらに備える、請求項１３２に記載の方法。
【請求項１３４】
前記送信メッセージ中のマルチキャスト受信機アドレスフィールドは、バースト性干渉によって引き起こされたエラーを示す、請求項１３２に記載の方法。
【請求項１３５】
ワイヤレスネットワーク上でのバースト性干渉の存在をシグナリングするための装置であって、
前記ワイヤレスネットワーク上でメッセージを送信するように構成された送信機と、
単一のＭＰＤＵの否定応答メッセージを受信するように構成された受信機と、前記否定応答メッセージは、前記送信メッセージの受信が、バースト性干渉によって引き起こされたエラーを含んでいたかどうかを示す、を備える装置。
【請求項１３６】
前記表示に基づいて送信パラメータを修正するように構成されたプロセッサをさらに備える、請求項１３５に記載の装置。
【請求項１３７】
前記送信メッセージ中のマルチキャスト受信機アドレスフィールドは、バースト性干渉によって引き起こされたエラーを示す、請求項１３５に記載の装置。
【請求項１３８】
ワイヤレスネットワーク上でのバースト性干渉の存在をシグナリングするための装置であって、
前記ワイヤレスネットワーク上でメッセージを送信するための手段と、
単一のＭＰＤＵについての否定応答メッセージを受信するための手段と、前記否定応答メッセージは、前記送信メッセージの受信がバースト性干渉によって引き起こされたエラーを含んでいたかどうかを示す、を備える装置。
【請求項１３９】
前記表示に基づいて、送信パラメータを修正するための手段をさらに備える、請求項１３８に記載の装置。
【請求項１４０】
前記送信メッセージのメディアアクセス制御ヘッダのタイプおよびサブタイプは肯定応答メッセージを示す、請求項１３８に記載の装置。
【請求項１４１】
前記送信メッセージ中のマルチキャスト受信機アドレスフィールドは、バースト性干渉によって引き起こされたエラーを示す、請求項１３８に記載の装置。
【請求項１４２】
ワイヤレスネットワーク上でのバースト性干渉の存在をシグナリングするための装置であって、
前記ワイヤレスネットワーク上でメッセージを送信するための手段と、
単一のＭＰＤＵについての否定応答メッセージを受信するための手段と、前記否定応答は、前記送信メッセージの受信がバースト性干渉によって引き起こされたエラーを含んでいたかどうかを示す、を備える装置。
【請求項１４３】
前記表示に基づいて、送信パラメータを修正するための手段をさらに備える、請求項１４２に記載の装置。
【請求項１４４】
前記送信メッセージのメディアアクセス制御ヘッダのタイプおよびサブタイプは肯定応答メッセージを示す、請求項１４２に記載の装置、
【請求項１４５】
プロセッサによって実行されるとき、それに、ワイヤレスネットワーク上でのバースト性干渉の存在をシグナリングする方法を実施させる命令を備えるコンピュータ可読記憶媒体であって、前記方法は、
前記ワイヤレスネットワーク上でメッセージを送信することと、
単一のＭＰＤＵについての否定応答メッセージを受信することと、前記否定応答メッセージは、前記送信メッセージの受信が、バースト性干渉によって引き起こされたエラーを含んでいたかどうかを示す、を備える、コンピュータ可読記憶媒体。
【請求項１４６】
前記受信メッセージ中のマルチキャスト受信機アドレスフィールドは、バースト性干渉によって引き起こされたエラーを示す、請求項１４５に記載のコンピュータ可読記憶媒体。
【請求項１４７】
前記表示に基づいて送信パラメータを修正することをさらに備える、請求項１４５に記載のコンピュータ可読記憶媒体。
【請求項１４８】
前記送信メッセージのメディアアクセス制御ヘッダのタイプおよびサブタイプは肯定応答メッセージを示す、請求項１４５に記載のコンピュータ可読記憶媒体。
【発明の詳細な説明】
【技術分野】
【０００１】
[0001]本出願は概して、ワイヤレス通信に関し、より詳細には、ワイヤレスネットワーク内の干渉を検出および管理するためのシステム、方法、およびデバイスに関する。
【背景技術】
【０００２】
[0002]多くの電気通信システムでは、通信ネットワークは、空間的に離れたいくつかの対話しているデバイスの間でメッセージを交換するために使用される。ネットワークは、たとえば、メトロポリタンエリア、ローカルエリア、またはパーソナルエリアであり得る地理的な範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために用いられる物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、ネットワーク要素がモバイルであり、したがって動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域内の電磁波を使用する非誘導伝搬モードで、無形の物理媒体を採用する。ワイヤレスネットワークは、有利なことに、固定有線ネットワークと比較して、ユーザモビリティと迅速な現場配置とを容易にする。
【０００４】
[0004]ワイヤレスネットワークの複数のユーザがいる場合、衝突とデータの損失とを避けるために、ネットワークは、ワイヤレス媒体へのアクセスを協調させるための手順を提供することができる。いくつかの事例では、衝突が起こる可能性があり、様々なネットワークデバイスの間の干渉を引き起こす。多数のユーザがいるネットワーク内でのデータの損失を削減するための改良された方法およびシステムが望ましい。
【発明の概要】
【０００５】
[0005]本発明のシステム、方法、およびデバイスは、それぞれいくつかの態様を有し、それらのうちの単一の態様が、単独でそれの望ましい属性を担当するとは限らない。以下の特許請求の範囲によって表される本発明の範囲を限定することなく、ここでいくつかの特徴が簡単に論じられる。この説明を考察すれば、特に「発明を実施するための形態」と題するセクションを読めば、本発明の特徴が、低電力および長距離ワイヤレス通信のためのサブギガヘルツ帯域中でのワイヤレス通信を提供することを含む利点をどのように提供するかが理解されよう。
【０００６】
[0006]本開示の一態様は、ワイヤレスネットワーク上でのバースト性干渉の存在をシグナリングする方法の実装形態を提供する。この方法は、ワイヤレスネットワークからメッセージを受信することと、受信メッセージが、バースト性干渉によって引き起こされたエラーを含むかどうか判断することと、受信メッセージが、バースト性干渉によって引き起こされたエラーを含んでいたかどうかを示すメッセージを送信することとを含む。いくつかの態様において、メッセージはブロック肯定応答メッセージである。いくつかの態様において、メッセージは、単一のＭＰＤＵの否定応答である。いくつかの他の態様において、送信メッセージ中のマルチキャスト受信機アドレスフィールドは、バースト性干渉によって引き起こされたエラーを示す。
【０００７】
[0007]開示する別の態様は、ワイヤレスネットワーク上でのバースト性干渉の存在をシグナリングするための装置である。この装置は、ワイヤレスネットワークからメッセージを受信するように構成された受信機と、受信メッセージが、バースト性干渉によって引き起こされたエラーを含むかどうか判断するように構成されたプロセッサと、受信メッセージが、バースト性干渉によって引き起こされたエラーを含んでいたかどうかを示すメッセージを送信するように構成された送信機とを含む。いくつかの態様において、メッセージはブロック肯定応答メッセージである。いくつかの態様において、メッセージは、単一のＭＰＤＵの否定応答である。いくつかの他の態様において、送信メッセージ中のマルチキャスト受信機アドレスフィールドは、バースト性干渉によって引き起こされたエラーを示す。
【０００８】
[0008]開示する別の態様は、ワイヤレスネットワーク上でのバースト性干渉の存在をシグナリングするための装置である。この装置は、ワイヤレスネットワークからメッセージを受信するための手段と、受信メッセージが、バースト性干渉によって引き起こされたエラーを含むかどうか判断するための手段と、受信メッセージが、バースト性干渉によって引き起こされたエラーを含んでいたかどうかを示すメッセージを送信するための手段とを含む。いくつかの態様において、メッセージはブロック肯定応答メッセージである。いくつかの態様において、メッセージは、単一のＭＰＤＵの否定応答である。いくつかの他の態様において、送信メッセージ中のマルチキャスト受信機アドレスフィールドは、バースト性干渉によって引き起こされたエラーを示す。
【０００９】
[0009]開示する別の態様は、プロセッサによって実行されると、プロセッサに、ワイヤレスネットワーク上でのバースト性干渉の存在をシグナリングする方法を実施させる命令を含むコンピュータ可読記憶媒体である。この方法は、ワイヤレスネットワークからメッセージを受信することと、受信メッセージが、バースト性干渉によって引き起こされたエラーを含むかどうか判断することと、受信メッセージが、バースト性干渉によって引き起こされたエラーを含んでいたかどうかを示すメッセージを送信することとを含む。いくつかの態様において、メッセージはブロック肯定応答メッセージである。いくつかの態様において、メッセージは、単一のＭＰＤＵの否定応答である。いくつかの他の態様において、送信メッセージ中のマルチキャスト受信機アドレスフィールドは、バースト性干渉によって引き起こされたエラーを示す。
【００１０】
[0010]開示する別の態様は、ワイヤレスネットワーク上でのバースト性干渉の存在をシグナリングする方法である。この方法は、ワイヤレスネットワーク上でメッセージを送信することと、送信メッセージの受信が、バースト性干渉によって引き起こされたエラーを含んでいたかどうかを示すメッセージを受信することとを含む。いくつかの態様において、受信メッセージはブロック肯定応答メッセージである。いくつかの態様において、受信メッセージは、単一のＭＰＤＵの否定応答である。いくつかの他の態様において、受信メッセージ中のマルチキャスト受信機アドレスフィールドは、バースト性干渉によって引き起こされたエラーを示す。開示する別の態様は、ワイヤレスネットワーク上でのバースト性干渉の存在をシグナリングするための装置である。この装置は、ワイヤレスネットワーク上でメッセージを送信するように構成された送信機と、送信メッセージの受信が、バースト性干渉によって引き起こされたエラーを含んでいたかどうかを示すメッセージを受信するように構成された受信機とを含む。いくつかの態様において、受信メッセージはブロック肯定応答メッセージである。いくつかの態様において、受信メッセージは、単一のＭＰＤＵの否定応答である。いくつかの他の態様において、受信メッセージ中のマルチキャスト受信機アドレスフィールドは、バースト性干渉によって引き起こされたエラーを示す。
【００１１】
[0011]開示する別の態様は、ワイヤレスネットワーク上でのバースト性干渉の存在をシグナリングするための装置である。この装置は、ワイヤレスネットワーク上でメッセージを送信するための手段と、送信メッセージの受信が、バースト性干渉によって引き起こされたエラーを含んでいたかどうかを示すメッセージを受信するための手段とを含む。いくつかの態様において、受信メッセージはブロック肯定応答メッセージである。いくつかの態様において、受信メッセージは、単一のＭＰＤＵの否定応答である。いくつかの他の態様において、受信メッセージ中のマルチキャスト受信機アドレスフィールドは、バースト性干渉によって引き起こされたエラーを示す。
【００１２】
[0012]開示する別の態様は、プロセッサによって実行されると、プロセッサに、ワイヤレスネットワーク上でのバースト性干渉の存在をシグナリングする方法を実施させる命令を含むコンピュータ可読記憶媒体である。この方法は、ワイヤレスネットワーク上でメッセージを送信することと、送信メッセージの受信が、バースト性干渉によって引き起こされたエラーを含んでいたかどうかを示すメッセージを受信することとを含む。いくつかの態様において、受信メッセージはブロック肯定応答メッセージである。いくつかの態様において、受信メッセージは、単一のＭＰＤＵの否定応答である。いくつかの他の態様において、受信メッセージ中のマルチキャスト受信機アドレスフィールドは、バースト性干渉によって引き起こされたエラーを示す。
【００１３】
[0013]開示する別の態様は、バースト性干渉についての情報がワイヤレス通信ネットワーク上でシグナリングされているかどうかを示す方法である。この方法は、ワイヤレスネットワークからメッセージを受信することと、第１の表示を含むメッセージを送信することとを含む。第１の表示は、送信メッセージが第２の表示を含むかどうかを示す。存在する場合、第２の表示は、受信メッセージが、バースト性干渉によって引き起こされたエラーを含んでいたかどうかを示す。
【００１４】
[0014]開示する別の態様は、バースト性干渉についての情報がワイヤレス通信ネットワーク上でシグナリングされているかどうかを示すための装置である。この装置は、ワイヤレスネットワークからメッセージを受信するように構成された受信機と、第１の表示を含むメッセージを送信するように構成された送信機とを含む。第１の表示は、送信メッセージが第２の表示を含むかどうかを示す。存在する場合、第２の表示は、受信メッセージが、バースト性干渉によって引き起こされたエラーを含んでいたかどうかを示す。
【００１５】
[0015]開示する別の態様は、バースト性干渉に関する情報がワイヤレス通信ネットワーク上でシグナリングされているかどうかを示すための装置である。この装置は、ワイヤレスネットワークからメッセージを受信するための手段と、第１の表示を含むメッセージを送信するための手段とを含む。第１の表示は、送信メッセージが第２の表示を含むかどうかを示す。存在する場合、第２の表示は、受信メッセージが、バースト性干渉によって引き起こされたエラーを含んでいたかどうかを表示する。
【００１６】
[0016]開示する別の態様は、プロセッサによって実行されると、プロセッサに、バースト性干渉についての情報がワイヤレス通信ネットワーク上でシグナリングされているかどうかを示す方法を実施させる命令を含むコンピュータ可読記憶媒体である。この方法は、ワイヤレスネットワークからメッセージを受信することと、第１の表示を含むメッセージを送信することとを含む。第１の表示は、送信メッセージが第２の表示を含むかどうかを示す。存在する場合、第２の表示は、受信メッセージが、バースト性干渉によって引き起こされたエラーを含んでいたかどうかを示す。
【００１７】
[0017]開表示する別の態様は、バースト性干渉の表示がワイヤレス通信ネットワーク上でシグナリングされているかどうかを示す方法である。この方法は、ワイヤレスネットワーク上でメッセージを送信することと、第１の表示を含むメッセージを受信することとを含む。第１の表示は、受信メッセージが第２の表示を含むかどうかを表示する。存在する場合、第２の表示は、送信メッセージの受信が、バースト性干渉によって引き起こされたエラーを含んでいたかどうかを示す。
【００１８】
[0018]開表示する別の態様は、バースト性干渉についての情報がワイヤレス通信ネットワーク上でシグナリングされているかどうかを示すための装置である。この装置は、ワイヤレスネットワークからメッセージを受信するように構成された受信機と、第１の表示を含むメッセージを送信するための送信機とを含む。第１の表示は、送信メッセージが第２の表示を含むかどうかを示す。存在する場合、第２の表示は、受信メッセージが、バースト性干渉によって引き起こされたエラーを含んでいたかどうかを示す。
【００１９】
[0019]開示する別の態様は、バースト性干渉についての情報がワイヤレス通信ネットワーク上でシグナリングされているかどうかを示すための装置である。この装置は、ワイヤレスネットワークからメッセージを受信するための手段と、第１の表示を含むメッセージを送信するための手段とを含む。第１の表示は、送信メッセージが第２の表示を含むかどうかを示す。存在する場合、第２の表示は、受信メッセージが、バースト性干渉によって引き起こされたエラーを含んでいたかどうかを示す。
【００２０】
[0020]開示する別の態様は、プロセッサによって実行されると、プロセッサに、バースト性干渉についての情報がワイヤレス通信ネットワーク上でシグナリングされているかどうかを示す方法を実施させる命令を含むコンピュータ可読記憶媒体である。この方法は、ワイヤレスネットワークからメッセージを受信することと、第１の表示を含むメッセージを送信することとを含む。第１の表示は、送信メッセージが第２の表示を含むかどうかを示す。存在する場合、第２の表示は、受信メッセージが、バースト性干渉によって引き起こされたエラーを含んでいたかどうかを示す。
【００２１】
[0021]開示する別の態様は、ワイヤレスネットワーク上でのバースト性干渉の存在を検出する方法である。この方法は、ワイヤレスデバイスにおいて、送信デバイスからメッセージを受信することと、メッセージが、バースト性干渉によって引き起こされたエラーを含むかどうか判断することと、前記判断に基づいて、ワイヤレスデバイスの特性を修正することとを含む。いくつかの態様において、判断することは、パイロットチャネルについての周波数オフセットおよび／または位相を追跡することと、追跡された周波数オフセットおよび／または位相に基づいて、データチャネルに訂正を適用することと、追跡された周波数オフセットおよび／または位相に基づいてバースト性干渉を検出することとを含む。いくつかの態様において、追跡された周波数オフセットおよび／または位相に基づいてバースト性干渉を検出することは、少なくとも１つのオフセットを閾値オフセットと比較することを含む。いくつかの態様において、前記判断することは、メッセージについてのエラーおよび強度基準を追跡することと、エラーおよび強度基準に基づいてバースト性干渉を検出することとを含む。いくつかの態様において、エラーおよび強度基準に基づいてバースト性干渉を検出することは、エラーおよび強度基準の間の比を算出することと、比を閾値と比較することとを含む。いくつかの態様において、エラー基準は受信エラーベクトルの大きさ（ＥＶＭ）を含み、強度基準は受信信号強度インジケータ（ＲＳＳＩ）からノイズフロア(a nois floor)を差し引いたものを含む。いくつかの態様において、判断することは、メッセージを復号することと、復号されたメッセージを再変調することと、オリジナル(original)の受信メッセージから再変調されたメッセージをキャンセルすることと、キャンセルから生じた残差信号(a residual signal)に対してパケット検出を実施することとを含む。
【００２２】
[0022]いくつかの態様において、パケット検出は、プリアンブル検出およびガード間隔検出のうちの１つまたは複数を含む。いくつかの態様において、ワイヤレスデバイスの特性を前記修正することは、バースト性干渉が検出されると、送信デバイスにバースト性干渉を報告することを含む。いくつかの態様において、ワイヤレスデバイスの特性を前記修正することは、バースト性干渉が検出されると、チャネル追跡を中断することを含む。
【００２３】
[0023]開示する別の態様は、ワイヤレスネットワーク上でのバースト性干渉の存在を検出するように構成されたワイヤレスデバイスである。このワイヤレスデバイスは、送信デバイスからメッセージを受信するように構成された受信機と、メッセージが、バースト性干渉によって引き起こされたエラーを含むかどうか判断し、前記判断に基づいて、ワイヤレスデバイスの特性を修正するように構成されたプロセッサとを含む。
【００２４】
[0024]いくつかの態様において、前記判断することは、パイロットチャネルについての周波数オフセットおよび／または位相を追跡することと、追跡された周波数オフセットおよび／または位相に基づいて、データチャネルに訂正を適用することと、追跡された周波数オフセットおよび／または位相に基づいてバースト性干渉を検出することとを含む。いくつかの態様において、追跡された周波数オフセットおよび／または位相に基づいてバースト性干渉を前記検出することは、少なくとも１つのオフセットを閾値オフセットと比較することを含む。いくつかの態様において、前記判断することは、メッセージについてのエラーおよび強度基準を追跡することと、エラーおよび強度基準に基づいてバースト性干渉を検出することとを含む。
【００２５】
[0025]いくつかの態様において、エラーおよび強度基準に基づいてバースト性干渉を検出することは、エラーおよび強度基準の間の比を算出することと、比を閾値と比較することとを含む。いくつかの態様において、エラー基準は受信エラーベクトルの大きさ（ＥＶＭ）を含み、強度基準は受信信号強度インジケータ（ＲＳＳＩ）からノイズフロアを差し引いたものを含む。いくつかの態様において、前記判断することは、メッセージを復号することと、復号されたメッセージを再変調することと、オリジナルの受信メッセージから再変調されたメッセージをキャンセルすることと、キャンセルから生じた残差信号に対してパケット検出を実施することとを含む。いくつかの態様において、パケット検出は、プリアンブル検出およびガード間隔検出のうちの１つまたは複数を含む。いくつかの態様において、ワイヤレスデバイスの特性を前記修正することは、バースト性干渉が検出されると、送信デバイスにバースト性干渉を報告することを含む。いくつかの態様において、ワイヤレスデバイスの特性を前記修正することは、バースト性干渉が検出されると、チャネル追跡を中断することを含む。
【００２６】
[0026]開示する別の態様は、ワイヤレスネットワーク上でのバースト性干渉の存在を検出するための装置である。この装置は、送信デバイスからメッセージを受信するための手段と、メッセージが、バースト性干渉によって引き起こされたエラーを含むかどうか判断するための手段と、前記判断に基づいて装置の特性を修正するための手段とを含む。いくつかの態様において、判断するための前記手段は、パイロットチャネルについての位相および／または周波数オフセットを追跡するための手段と、追跡された周波数オフセットおよび／または位相に基づいて、データチャネルに訂正を適用するための手段と、追跡された周波数オフセットおよび／または位相に基づいてバースト性干渉を検出するための手段とを含む。
【００２７】
[0027]いくつかの態様において、追跡された周波数オフセットおよび／または位相に基づいてバースト性干渉を検出するための前記手段は、少なくとも１つのオフセットを閾値オフセットと比較するための手段を含む。いくつかの態様において、判断するための前記手段は、メッセージについてのエラーおよび強度基準を追跡するための手段と、エラーおよび強度基準に基づいてバースト性干渉を検出するための手段とを含む。
【００２８】
[0028]いくつかの態様において、エラーおよび強度基準に基づいてバースト性干渉を検出するための手段は、エラーおよび強度基準の間の比を算出し、比を閾値と比較するための手段を含む。いくつかの態様において、エラー基準は受信エラーベクトルの大きさ（ＥＶＭ）を含み、強度基準は受信信号強度インジケータ（ＲＳＳＩ）からノイズフロアを差し引いたものを含む。
【００２９】
[0029]いくつかの態様において、判断するための前記手段は、メッセージを復号するための手段と、復号されたメッセージを再変調するための手段と、オリジナルの受信メッセージから再変調されたメッセージをキャンセルするための手段と、キャンセルから生じた残差信号に対してパケット検出を実施するための手段とを含む。
【００３０】
[0030]いくつかの態様において、パケット検出は、プリアンブル検出およびガード間隔検出のうちの１つまたは複数を含む。いくつかの態様において、装置の特性を修正するための前記手段は、バースト性干渉が検出されると、送信デバイスにバースト性干渉を報告するための手段を含む。いくつかの態様において、装置の特性を修正するための前記手段は、バースト性干渉が検出されると、チャネル追跡を中断するための手段を含む。
【００３１】
[0031]開示する別の態様は、実行されると、装置に、送信デバイスからメッセージを受信させ、メッセージが、ワイヤレスネットワーク上のバースト性干渉によって引き起こされたエラーを含むかどうか判断させ、前記判断に基づいて装置の特性を修正させるコードを備える非一時的コンピュータ可読媒体である。いくつかの態様において、前記判断することは、パイロットチャネルについての周波数オフセットおよび／または位相を追跡することと、追跡された周波数オフセットおよび／または位相に基づいて、データチャネルに訂正を適用することと、追跡された周波数オフセットおよび／または位相に基づいてバースト性干渉を検出することとを含む。いくつかの態様において、追跡された周波数オフセットおよび／または位相に基づいてバースト性干渉を前記検出することは、少なくとも１つのオフセットを閾値オフセットと比較することを含む。いくつかの態様において、前記判断することは、メッセージについてのエラーおよび強度基準を追跡することと、エラーおよび強度基準に基づいてバースト性干渉を検出することとを含む。いくつかの態様において、エラーおよび強度基準に基づいてバースト性干渉を検出することは、エラーおよび強度基準の間の比を算出することと、比を閾値と比較することとを含む。いくつかの態様において、エラー基準は受信エラーベクトルの大きさ（ＥＶＭ）を含み、強度基準は受信信号強度インジケータ（ＲＳＳＩ）からノイズフロアを差し引いたものを含む。
【００３２】
[0032]いくつかの態様において、前記判断することは、メッセージを復号することと、復号されたメッセージを再変調することと、オリジナルの受信メッセージから再変調されたメッセージをキャンセルすることと、キャンセルから生じた残差信号に対してパケット検出を実施することとを含む。いくつかの態様において、パケット検出は、プリアンブル検出およびガード間隔検出のうちの１つまたは複数を含む。いくつかの態様において、装置の特性を前記修正することは、バースト性干渉が検出されると、送信デバイスにバースト性干渉を報告することを含む。いくつかの態様において、装置の特性を前記修正することは、バースト性干渉が検出されると、チャネル追跡を中断することを含む。
【図面の簡単な説明】
【００３３】
【図１Ａ】[0033]本開示の態様が利用され得るワイヤレス通信システムの一例を示す図。
【図１Ｂ】[0034]本開示の態様が利用され得るワイヤレス通信システムの一例を表示する図。
【図２】[0035]図１Ａまたは図１Ｂのワイヤレス通信システム内で利用され得る例示的なワイヤレスデバイスの機能ブロック図。
【図３】[0036]ワイヤレス通信を送信するために図２のワイヤレスデバイスにおいて利用され得る例示的な構成要素の機能ブロック図。
【図４】[0037]ワイヤレス通信を受信するために図２のワイヤレスデバイスにおいて利用され得る例示的な構成要素の機能ブロック図。
【図５Ａ】[0038]図１Ｂのワイヤレスネットワーク内での衝突を伴う例示的なパケット送信を示す図。
【図５Ｂ】[0039]図１Ｂのワイヤレスネットワークにおける例示的なパケット受信を示す図。
【図６Ａ】[0040]図１Ｂのワイヤレスネットワークにおける干渉を検出および管理する例示的な方法についてのフローチャート。
【図６Ｂ】[0041]図１Ｂのワイヤレスネットワークにおけるバースト性干渉の存在を検出する例示的な方法についてのフローチャート。
【図７】[0042]図１Ｂのワイヤレスネットワークにおける干渉を検出および管理する別の例示的な方法についてのフローチャート。
【図８】[0043]図１Ｂのワイヤレスネットワークにおける干渉を検出および管理する別の例示的な方法についてのフローチャート。
【図９】[0044]図１Ｂのワイヤレスネットワークにおける干渉を検出および管理する別の例示的な方法についてのフローチャート。
【図１０Ａ】[0045]ワイヤレスネットワーク上でのバースト性干渉の存在をシグナリングする方法の一実装形態のフローチャート。
【図１０Ｂ】[0046]バースト性干渉についての情報がワイヤレス通信ネットワーク上でシグナリングされているかどうかを示す方法の一実装形態のフローチャート。
【図１１Ａ】[0047]ワイヤレスネットワーク上でのバースト性干渉の存在をシグナリングする方法の一実装形態のフローチャート。
【図１１Ｂ】[0048]バースト性干渉についての情報がワイヤレス通信ネットワーク上でシグナリングされているかどうかを示す方法の一実装形態のフローチャート。
【図１２】[0049]基本ブロックＡＣＫフレームの一例を示す図。
【図１３】[0050]メディアアクセス制御（ＭＡＣ）フレームの例示的な構造を示す図。
【図１４】[0051]図１３に示すＭＡＣヘッダのフレーム制御フィールドの例示的な構造を示す図。
【図１５】[0052]メディアアクセス制御（ＭＡＣ）フレームの例示的な構造を示す図。
【図１６】[0053]メディアアクセス制御（ＭＡＣ）フレームの例示的な構造を示す図。
【図１７】[0054]ワイヤレス通信システム内で利用され得る機能ブロック図、例示的なワイヤレスデバイス。
【図１８】[0055]ワイヤレス通信システム内で利用され得る機能ブロック図、例示的なワイヤレスデバイス。
【発明を実施するための形態】
【００３４】
[0056]添付の図面を参照しながら新規のシステム、装置、および方法の様々な態様について以下でより十分に説明する。しかしながら、教示する開示は、多くの異なる形態で具現化される場合があり、本開示全体にわたって提示される任意の特定の構造または機能に限定されるものと解釈されるべきではない。むしろ、これらの態様は、本開示が完璧かつ完全になり、本開示の範囲を当業者に十分に伝えるように、提供される。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含するものであることを、当業者は諒解されたい。たとえば、本明細書に記載された態様をいくつ使用しても、装置は実装され得るか、または方法は実践され得る。加えて、本発明の範囲は、本明細書に記載された本発明の様々な態様に加えて、またはそれらの態様以外に、他の構造、機能、または構造と機能とを使用して実践される、そのような装置または方法を包含するものである。本明細書で開示される任意の態様が、請求項の１つまたは複数の要素によって具現化され得ることを理解されたい。
【００３５】
[0057]本明細書では特定の態様が記載されるが、これらの態様の多くの変形および置換は本開示の範囲内に入る。好適な態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能なものであり、そのうちのいくつかが図面および好適な態様の以下の説明において例として示される。発明を実施するための形態および図面は、限定的なものではなく、本開示を説明するものにすぎず、本開示の範囲は、添付の特許請求の範囲およびその均等物によって定義される。
【００３６】
[0058]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近くのデバイスを一緒に相互接続するために使用され得る。本明細書に記載される様々な態様は、Ｗｉ−Ｆｉ（登録商標）、またはより一般的には、ワイヤレスプロトコルのＩＥＥＥ  ８０２．１１ファミリの任意のメンバなどの任意の通信規格に適用することができる。
【００３７】
[0059]いくつかの態様では、ワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１プロトコルに従って送信され得る。
【００３８】
[0060]本明細書で説明するデバイスのうちのいくつかは、さらに、多入力多出力（ＭＩＭＯ）技術を実装し、８０２．１１プロトコルの一部として実装され得る。ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルに分解することができ、ここで、ＮS≦ｍｉｎ｛ＮT，ＮR｝である。ＮＳ個の独立チャネルの各々は１つの次元に対応する。複数の送信アンテナおよび受信アンテナによって生成された追加の次元が利用された場合、ＭＩＭＯシステムは改善されたパフォーマンス（たとえば、より高いスループットおよび／またはより大きい信頼性）を与え得る。
【００３９】
[0061]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントが存在し得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉ−Ｆｉ＿３３（たとえば、ＩＥＥＥ  ８０２．１１プロトコル）準拠ワイヤレスリンクを介してＡＰに接続する。いくつかの実装形態では、ＳＴＡはＡＰとして使用される場合もある。
【００４０】
[0062]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは他の何らかの用語を備えるか、それらのいずれかとして実装されるか、またはそれらのいずれかとして知られる場合がある。
【００４１】
[0063]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備え得る。したがって、本明細書で教示される１つまたは複数の態様は、電話（たとえば、セルラー電話もしくはスマートフォン）、コンピュータ（たとえば、ラップトップ）、ポータブル通信デバイス、ヘッドセット、ポータブルコンピューティングデバイス（たとえば、個人情報端末）、娯楽デバイス（たとえば、音楽もしくはビデオデバイス、または衛星ラジオ）、ゲームデバイスもしくはシステム、全地球測位システムデバイス、あるいは、ワイヤレス媒体を介して通信するように構成された任意の他の適切なデバイスに組み込まれ得る。
【００４２】
[0064]図１Ａは、本開示の態様が採用され得るワイヤレス通信システム１００の例を示す。ワイヤレス通信システム１００は、ワイヤレス規格、たとえば８０２．１１規格に従って動作することができる。ワイヤレス通信システム１００は、ＳＴＡ１０６ａ、１０６ｂ、１０６ｃ、１０６ｄ、および１０６ｅ（総称してＳＴＡ１０６）と通信する、ＡＰ１０４を含み得る。
【００４３】
[0065]ＳＴＡ１０６ｅは、ＡＰ１０４との通信に問題点を有する場合があるか、またはＡＰ１０４の範囲外にあり、ＡＰ１０４と通信することができない場合がある。したがって、別のＳＴＡ１０６ｄが、ＳＴＡ１０６ｅとＡＰ１０４との間の通信を中継するリレー１１２として構成されてよい。
【００４４】
[0066]様々なプロセスおよび方法は、ＡＰ１０４とＳＴＡ１０６との間の、ワイヤレス通信システム１００における送信に使用される場合がある。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡ１０６との間で送受信される場合がある。この場合、ワイヤレス通信システム１００は、ＣＤＭＡシステムと呼ばれる場合がある。
【００４５】
[0067]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００４６】
[0068]ＡＰ１０４は、基地局として働き、基本サービスエリア（ＢＳＡ）１０２においてワイヤレス通信カバレージを提供することができる。ＡＰ１０４は、ＡＰ１０４と関連付けられる、また通信のためにＡＰ１０４を使用するＳＴＡ１０６とともに、基本サービスセット（ＢＳＳ）と呼ばれ得る。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実施され得る。
【００４７】
[0069]アクセスポイント１０４ａは、ワイヤレス通信システム１００内の競合期間または無競合期間のいずれかの間に局１０６ｂと通信することができる。ワイヤレス通信システム１００向けの競合期間中、局１０６ｂとアクセスポイント１０４ａとの間の送信は、通信システム１００内の他のワイヤレス局からの送信と衝突する場合がある。ワイヤレス通信システム１００の利用率に依存して、衝突レートは変わり得る。ワイヤレス通信システム１００が比較的頻繁に利用されているとき、１つまたは複数の衝突を受ける送信の割合は、ワイヤレス通信システム１００が頻繁には利用されないときよりも比較的高くなり得る。ワイヤレス通信システム１００の頻繁な利用中に受ける衝突は、ワイヤレス通信システム１００のワイヤレスノードによるデータの受信を阻止し得る。衝突を受けるいくつかのパケットは、意図された受信機によって確認されない場合がある。代替として、複数のパケットの各々についての受信状況を示すブロック肯定応答が、受信機から送信機に送信されてよい。
【００４８】
[0070]いくつかのワイヤレスメッセージの送信は、衝突以外の理由により、失敗する場合がある。たとえば、ＳＴＡ１０６とＡＰ１０４との間の物理的距離が、ＳＴＡ１０６またはＡＰ１０４のいずれかの送信電力に対して大きくなり得る。送信信号は、受信機において受信されたとき、適切に復号されるのには弱すぎる場合がある。このタイプの送信エラーは、当技術分野において、減衰として知られている。減衰を受けているパケットは、意図された受信機によって確認されない場合がある。代替として、複数のパケットの各々についての受信状況を示すブロック肯定応答が、受信機によってオリジナルの送信機に送信されてよい。
【００４９】
[0071]１つまたは複数のパケットの不成功送信に応じて、送信機は、受信機との通信を改善しようと試みて、送信パラメータを調整してよい。たとえば、送信機は、変調およびコーディング方式（ＭＣＳ）を低下させ、パケット持続時間を長くすればよい。送信問題が減衰によるものである場合、こうすることにより、弱い送信信号を受信している受信機の、より低いＭＣＳで送信されたワイヤレスメッセージを復号するための能力を改善することができる。送信問題が衝突によるものである場合、ワイヤレスメッセージの送信時間を長くすると、より長いパケットが、衝突によってより遮断されやすいので、頻繁に利用されるネットワークにおける送信問題を悪化させる場合がある。
【００５０】
[0072]図１Ｂは、本開示の態様が利用され得るワイヤレス通信システム１５０の例を示す。ワイヤレス通信システム５００は、ワイヤレス規格、たとえば８０２．１１規格に従って動作することができる。ワイヤレス通信システム５００は、図１Ａに示すワイヤレス通信システム１００、ならびに第２のワイヤレス通信システム１０１を含む。ワイヤレス通信システム１５０は、ＡＰ１０４ａ〜１０４ｂを含み、これらのＡＰは、ワイヤレス通信システム１００内のＳＴＡ１０６ａ〜１０６ｅ、およびそれぞれワイヤレス通信システム１０１内のＳＴＡ１０６ｆ〜１０６ｊ（総称してＳＴＡ１０６）と通信する。
【００５１】
[0073]局１０６ｂは、ＡＰ１０４ａに関連付けられるとともにＡＰ１０４ａと通信するが、アクセスポイント１０４ｂの送信範囲内にもある。局１０６ｆは、ＡＰ１０４ｂに関連付けられるとともにＡＰ１０４ｂと通信するが、アクセスポイント１０４ａの送信範囲内にもある。
【００５２】
[0074]上述したように、局は、競合期間または無競合期間中のいずれかの間にアクセスポイントと通信することができる。ワイヤレス通信システム１００の無競合期間中、通信システム１００のデバイスからの他の送信との衝突は概して、起こることはない。ただし、局１０６ｂは、ＡＰ１０４ｂの送信範囲内にあるので、ワイヤレス通信システム１５０からの送信により、無競合期間中にパケット衝突を受ける場合がある。通信システム１０１の利用率に依存して、ＡＰ１０４ｂによる送信の頻度は変わり得る。ワイヤレス通信システム１０１が頻繁に利用される場合、局１０６ｂは、ワイヤレス通信システム１００の無競合期間中であっても、ＡＰ１０４ｂの送信から生じた衝突を受け得る。
【００５３】
[0075]上述したように、パケット紛失に応じて、ＡＰ１０４ａは、その送信パラメータを調整することができる。ただし、上でも論じたように、そのような調整により、場合によっては、さらなる衝突の確率が増す可能性がある。たとえば、ＡＰ１０４ａとＳＴＡ１０６ｂとの間で無競合期間中に送信されたパケットが、ＡＰ１０４ｂからの送信と衝突する場合、ＡＰ１０４ａは、減衰により送信が失敗したと想定し、パケットのＭＣＳと、長さと送信時間を減少させればよい。こうすることにより、特にワイヤレス通信システム１０１が頻繁に利用される場合、パケットの再送信もＡＰ１０４ｂからの送信と衝突する確率が増す場合がある。したがって、ワイヤレス通信システムにおけるパケット衝突を検出および報告するための改良された方法および装置が所望される。
【００５４】
[0076]本明細書で開示するいくつかの態様は、ワイヤレスメッセージが受信機によって受信されるときに受けるエラーの性質を、ワイヤレスメッセージ受信機からワイヤレスメッセージ送信機に通信することによって、衝突または他の形のバースト性干渉による送信エラーを受ける、ワイヤレスネットワーク上での通信を改善する。様々な実施形態において、バースト性干渉は、たとえば、伝播パスの受動的特性によって引き起こされる減衰とは対照的に、一過性の能動干渉を指し得る。いくつかの態様において、ワイヤレスメッセージの受信機は、パケットエラーが干渉の結果であるかどうか判断することができる。受信側は次いで、メッセージの受信が、バースト性干渉によって引き起こされたエラーを含んでいたかどうかを示すメッセージを、受信メッセージの送信機に返送すればよい。そのような表示を受信した送信機は、表示に応答して、パケットが正しく受信されなかったという知識にのみ基づいて送信パラメータを適合させるのと比較して、送信パラメータの適合性を改善することができる。たとえば、パケットエラーがバースト性干渉によるものであるとき、送信機は、ＭＣＳを低下させなくてよく、パケット送信の長さを増大させなくてよいが、これは、頻繁に利用されるワイヤレスネットワークまたはワイヤレス媒体における送信問題を悪化させる場合があるからである。
【００５５】
[0077]図２は、ワイヤレス通信システム１００内で使用され得るワイヤレスデバイス２０２において利用され得る様々な構成要素を示す。ワイヤレスデバイス２０２は、本明細書で説明する様々な方法を実施するように構成され得るデバイスの例である。たとえば、ワイヤレスデバイス２０２は、図１Ａまたは図１ＢのＡＰ１０４、リレー１１２、またはＳＴＡ１０６のうちの１つを備え得る。
【００５６】
[0078]ワイヤレスデバイス２０２は、ワイヤレスデバイス２０２の動作を制御するプロセッサ２０４を含み得る。プロセッサ２０４は、中央処理装置（ＣＰＵ）とも呼ばれ得る。読取り専用メモリ（ＲＯＭ）とランダムアクセスメモリ（ＲＡＭ）の両方を含むことができるメモリ２０６は、命令とデータとをプロセッサ２０４に与える。メモリ２０６の一部分は、不揮発性ランダムアクセスメモリ（ＮＶＲＡＭ）を含む場合もある。プロセッサ２０４は、一般に、メモリ２０６内に記憶されたプログラム命令に基づいて論理演算および算術演算を実施する。メモリ２０６内の命令は、本明細書に記載される方法を実装するように実行可能であり得る。
【００５７】
[0079]ワイヤレスデバイス２０２が送信ノードとして実装または使用されるとき、プロセッサ２０４は、複数のメディアアクセス制御（ＭＡＣ）ヘッダタイプのうちの１つを選択することと、そのＭＡＣヘッダタイプを有するパケットを生成することとを行うように構成され得る。たとえば、プロセッサ２０４は、ＭＡＣヘッダとペイロードとを備えるパケットを生成し、どのタイプのＭＡＣヘッダを使用するかを判断するように構成され得る。
【００５８】
[0080]ワイヤレスデバイス２０２が受信ノードとして実装または使用されるとき、プロセッサ２０４は、複数の異なるＭＡＣヘッダのタイプのパケットを処理するように構成され得る。たとえば、プロセッサ２０４は、パケット内で使用されるＭＡＣヘッダのタイプを判断し、パケットおよび／またはＭＡＣヘッダのフィールドを処理するように構成され得る。
【００５９】
[0081]プロセッサ２０４は、１つまたは複数のプロセッサとともに実装された処理システムを備えるか、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実施することができる任意の他の好適なエンティティの任意の組合せを用いて実装され得る。
【００６０】
[0082]処理システムはまた、ソフトウェアを記憶するための機械可読媒体も含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、または任意の他の適切なコード形式の）コードを含み得る。命令は、１つまたは複数のプロセッサによって実行されたとき、処理システムに本明細書で説明する様々な機能を実行させる。
【００６１】
[0083]ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とを組み合わせてトランシーバ２１４を形成することができる。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００６２】
[0084]送信機２１０は、異なるＭＡＣヘッダタイプを有するパケットをワイヤレス送信するように構成され得る。たとえば、送信機２１０は、上記で説明したプロセッサ２０４によって生成された異なるタイプのヘッダとともにパケットを送信するように構成され得る。
【００６３】
[0085]受信機２１２は、異なるＭＡＣヘッダタイプを有するパケットをワイヤレス受信するように構成され得る。いくつかの態様では、受信機２１２は、使われたＭＡＣヘッダのタイプを検出し、それに応じてパケットを処理するように構成される。
【００６４】
[0086]ワイヤレスデバイス２０２は、トランシーバ２１４によって受信された信号のレベルを検出し、定量化する目的で使用され得る、信号検出器２１８を含む場合もある。信号検出器２１８は、総エネルギー、シンボルごとのサブキャリア当たりのエネルギー、電力スペクトル密度、および他の信号などの信号を検出し得る。ワイヤレスデバイス２０２は、信号を処理する際に使用するデジタル信号プロセッサ（ＤＳＰ）２２０も含み得る。ＤＳＰ２２０は、送信のためのデータユニットを生成するように構成され得る。いくつかの態様では、データユニットは物理レイヤデータユニット（ＰＰＤＵ）を備え得る。いくつかの態様では、ＰＰＤＵはパケットと呼ばれる。
【００６５】
[0087]いくつかの態様では、ワイヤレスデバイス２０２はユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝え、かつ／またはユーザからの入力を受信する、任意の要素または構成要素を含み得る。
【００６６】
[0088]ワイヤレスデバイス２０２の様々な構成要素は、バスシステム２２６によって互いに結合され得る。バスシステム２２６は、データバス、ならびに、たとえば電力バス、制御信号バス、および状況信号バスを、データバスに加えて含み得る。ワイヤレスデバイス２０２の構成要素は、何らかの他の機構を使って、互いに結合され、または互いへの入力を受容し、もしくは与え得ることが、当業者には諒解されよう。
【００６７】
[0089]いくつかの別々の構成要素が図２に示されているが、それらの構成要素のうちの１つまたは複数は、組み合わされるか、または共通に実装されることがある。たとえば、プロセッサ２０４は、プロセッサ２０４に関して上で説明した機能を実装するためだけでなく、信号検出器２１８および／またはＤＳＰ２２０に関して上で説明した機能を実装するためにも使用され得る。さらに、図２に示す構成要素の各々は、複数の別個の要素を使用して実装され得る。さらに、プロセッサ２０４は、以下で説明する構成要素、モジュール、回路などのいずれかを実装するために使用され得、または各々が複数の別個の要素を使用して実装され得る。
【００６８】
[0090]参照しやすいように、ワイヤレスデバイス２０２が送信ノードとして構成されるとき、以下でそれをワイヤレスデバイス２０２ｔと呼ぶ。同様に、ワイヤレスデバイス２０２が受信ノードとして構成されるとき、以下でそれをワイヤレスデバイス２０２ｒと呼ぶ。ワイヤレス通信システム１００中のデバイスは、送信ノードの機能のみ、受信ノードの機能のみ、または送信ノードと受信ノードの両方の機能を実装し得る。
【００６９】
[0091]上記で説明したように、ワイヤレスデバイス２０２は、ＡＰ１０４またはＳＴＡ１０６を備え得、複数のＭＡＣヘッダタイプを有する通信を送信および／または受信するために使用され得る。
【００７０】
[0092]上記で説明したように、ワイヤレスデバイス２０２は、ＡＰ１０４またはＳＴＡ１０６を備え得、通信を送信および／または受信するために使用され得る。図３は、ワイヤレス通信を送信するためにワイヤレスデバイス２０２ｔにおいて利用され得る様々な構成要素を示す。図３に示された構成要素は、たとえば、ＯＦＤＭ通信を送信するために使用され得る。いくつかの態様では、図３に示された構成要素は、１ＭＨｚ以下の帯域幅上で送られるべきパケットを生成し、送信するために使用される。
【００７１】
[0093]図３のワイヤレスデバイス２０２ｔは、送信のためにビットを変調するように構成された変調器３０２を備え得る。たとえば、変調器３０２は、たとえばコンスタレーションに従ってビットを複数のシンボルにマッピングすることによって、プロセッサ２０４（図２）またはユーザインターフェース２２２（図２）から受信されたビットから複数のシンボルを判断し得る。それらのビットは、ユーザデータまたは制御情報に対応し得る。いくつかの態様では、それらのビットはコードワードにおいて受信される。一態様では、変調器３０２は、ＱＡＭ（直交振幅変調）変調器、たとえば１６ＱＡＭ変調器または６４ＱＡＭ変調器を備える。他の態様では、変調器３０２は、２位相シフトキーイング（ＢＰＳＫ）変調器または４位相シフトキーイング（ＱＰＳＫ）変調器を備える。
【００７２】
[0094]ワイヤレスデバイス２０２ｔは、変調器３０２からのシンボル、または場合によっては変調されたビットを時間領域に変換するように構成された変換モジュール３０４をさらに備える場合がある。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。いくつかの実装形態では、変換モジュール３０４は、それ自体が、異なるサイズのデータのユニットを変換するように構成され得る。たとえば、変換モジュール３０４は、複数のモードで構成され得、各モードでシンボルを変換するために異なる数の点を使用し得る。たとえば、ＩＦＦＴは、３２個のトーン（すなわち、サブキャリア）上で送信されているシンボルを時間領域に変換するために３２点が使用されるモードと、６４個のトーン上で送信されているシンボルを時間領域に変換するために６４点が使用されるモードとを有し得る。変換モジュール３０４によって使用される点の数は、変換モジュール３０４のサイズと呼ばれることがある。
【００７３】
[0095]図３では、変調器３０２と変換モジュール３０４は、ＤＳＰ３２０中で実装されるものとして示されている。しかしながら、いくつかの態様では、変調器３０２と変換モジュール３０４の一方または両方が、プロセッサ２０４中でまたはワイヤレスデバイス２０２ｔの別の要素（たとえば、図２に関する上記の説明を参照）中で実装される。
【００７４】
[0096]上記で説明したように、ＤＳＰ３２０は、送信のためのデータユニットを生成するように構成され得る。いくつかの態様では、変調器３０２および変換モジュール３０４は、制御情報を含む複数のフィールドと複数のデータシンボルとを備えるデータユニットを生成するように構成され得る。
【００７５】
[0097]図３の説明に戻ると、ワイヤレスデバイス２０２５は、変換モジュールの出力をアナログ信号に変換するように構成されたデジタルアナログ変換器３０６をさらに備える場合がある。たとえば、変換モジュール３０６の時間領域出力は、デジタルアナログ変換器３０６によってベースバンドＯＦＤＭ信号に変換され得る。デジタルアナログ変換器３０６は、プロセッサ２０４中でまたは図２のワイヤレスデバイス２０２の別の要素中で実装され得る。いくつかの態様では、デジタルアナログ変換器３０６は、トランシーバ２１４（図２）中でまたはデータ送信プロセッサ中で実装される。
【００７６】
[0098]アナログ信号は送信機３１０によってワイヤレス送信され得る。アナログ信号は、送信機３１０によって送信される前に、たとえばフィルタ処理されることによって、または中間周波数もしくは搬送周波数にアップコンバートされることによって、さらに処理され得る。図３に示す態様では、送信機３１０は送信増幅器３０８を含む。送信されるより前に、アナログ信号は送信増幅器３０８によって増幅され得る。いくつかの態様では、増幅器３０８は低雑音増幅器（ＬＮＡ）を備える。
【００７７】
[0099]送信機３１０は、アナログ信号に基づいてワイヤレス信号中の１つまたは複数のパケットまたはデータユニットを送信するように構成される。それらのデータユニットは、プロセッサ２０４（図２）および／またはＤＳＰ３２０を使用して、たとえば上記で説明したように変調器３０２および変換モジュール３０４を使用して、生成され得る。上記で説明したように生成され、送信され得るデータユニットについて、以下でさらに詳細に説明する。
【００７８】
[00100]図４は、ワイヤレス通信を受信するために図２のワイヤレスデバイス２０２において利用され得る様々な構成要素を示す。図４に示された構成要素は、たとえば、ＯＦＤＭ通信を受信するために使用され得る。たとえば、図４に示された構成要素は、図３に関して上記で説明された構成要素によって送信されたデータユニットを受信するために使用され得る。
【００７９】
[00101]ワイヤレスデバイス２０２ｂの受信機４１２は、ワイヤレス信号中で１つまたは複数のパケットまたはデータユニットを受信するように構成される。以下で論じるように受信され、復号され、またはさもなければ処理され得るデータユニット。
【００８０】
[00102]図４に示す態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ）手順を使用して、受信増幅器４０１の利得を調整するように構成される。いくつかの態様では、自動利得制御は、たとえば、利得を調整するために、受信されたショートトレーニングフィールド（ＳＴＦ）などの１つまたは複数の受信されたトレーニングフィールド内の情報を使用する。当業者はＡＧＣを実施するための方法を理解するであろう。いくつかの態様では、増幅器４０１はＬＮＡを備える。
【００８１】
[00103]ワイヤレスデバイス２０２ｒは、受信機４１２からの増幅されたワイヤレス信号をそれのデジタル表現に変換するように構成されたアナログデジタル変換器４１０を備え得る。増幅されることに加えて、ワイヤレス信号は、デジタルアナログ変換器４１０によって変換される前に、たとえばフィルタ処理されることによって、または中間周波数もしくはベースバンド周波数にダウンコンバートされることによって、処理され得る。アナログデジタル変換器４１０は、プロセッサ２０４（図２）中でまたはワイヤレスデバイス２０２ｒの別の要素中で実装され得る。いくつかの態様では、アナログデジタル変換器４１０は、トランシーバ２１４（図２）中でまたはデータ受信プロセッサ中で実装される。
【００８２】
[00104]ワイヤレスデバイス２０２ｒは、ワイヤレス信号の表現を周波数スペクトルに変換するように構成された変換モジュール４０４をさらに備え得る。図４では、変換モジュール４０４は、高速フーリエ変換（ＦＦＴ）モジュールによって実装されるものとして示されている。いくつかの態様では、変換モジュールは、それが使用するポイントごとにシンボルを識別することができる。図３に関して上記で説明したように、変換モジュール４０４は、複数のモードで構成され得、各モードで信号を変換するために異なる数の点を使用し得る。変換モジュール４０４によって使用される点の数は、変換モジュール４０４のサイズと呼ばれることがある。いくつかの態様では、変換モジュール４０４は、それが使用する各点についてシンボルを識別し得る。
【００８３】
[00105]ワイヤレスデバイス２０２ｂは、データユニットがそれを介して受信されるチャネルの推定値を形成することと、チャネル推定値に基づいてチャネルのいくつかの影響を除去することとを行うように構成された、チャネル推定器兼等化器４０５をさらに備える場合がある。たとえば、チャネル推定器４０５は、チャネルの関数を近似するように構成され得、チャネル等化器は、その関数の逆を周波数スペクトルにおけるデータに適用するように構成され得る。
【００８４】
[00106]ワイヤレスデバイス２０２ｔは、等化されたデータを復調するように構成された復調器４０６をさらに備える場合がある。たとえば、復調器４０６は、たとえばコンスタレーションにおいてビットとシンボルとのマッピングを逆転させることによって、変換モジュール４０４およびチャネル推定器兼等化器４０５によって出力されたシンボルから複数のビットを判断することができる。それらのビットは、プロセッサ２０４（図２）によって処理または評価され得るか、またはユーザインターフェース２２２（図２）に情報を表示するか、もしくはさもなければ出力するために使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【００８５】
[00107]図４では、変換モジュール４０４、チャネル推定器兼等化器４０５、および復調器４０６は、ＤＳＰ４２０内に実装されるものとして示されている。しかしながら、いくつかの態様では、変換モジュール４０４と、チャネル推定器兼等化器４０５と、復調器４０６とのうちの１つまたは複数が、プロセッサ２０４（図２）中でまたはワイヤレスデバイス２０２（図２）の別の要素中で実装される。
【００８６】
[00108]上記で説明されたように、受信機２１２において受信されたワイヤレス信号は、１つまたは複数のデータユニットを備える。上記で説明した機能または構成要素を使用して、データユニットまたはそれの中のデータシンボルは、復号され評価されるか、またはさもなければ評価もしくは処理され得る。たとえば、プロセッサ２０４（図２）および／またはＤＳＰ４２０は、変換モジュール４０４と、チャネル推定器兼等化器４０５と、復調器４０６とを使用して、データユニット中のデータシンボルを復号するために使用され得る。
【００８７】
[00109]ＡＰ１０４およびＳＴＡ１０６によって交換されるデータユニットは、上記で説明されたように、制御情報またはデータを含む場合がある。物理（ＰＨＹ）レイヤにおいて、これらのデータユニットは、物理レイヤプロトコルデータユニット（ＰＰＤＵ）と呼ばれる場合がある。いくつかの態様では、ＰＰＤＵはパケットまたは物理レイヤパケットと呼ばれることがある。各ＰＰＤＵはプリアンブルとペイロードとを備え得る。プリアンブルはトレーニングフィールドとＳＩＧフィールドとを含み得る。ペイロードは、たとえば、メディアアクセス制御（ＭＡＣ）ヘッダもしくは他のレイヤ用のデータ、および／またはユーザデータを備える場合がある。ペイロードは、１つまたは複数のデータシンボルを使用して送信され得る。本明細書のシステム、方法、およびデバイスは、ピーク対電力比が最小限に抑えられたトレーニングフィールドを有するデータユニットを利用することができる。
【００８８】
[00110]図３に示されたワイヤレスデバイス２０２ａは、アンテナを介して送信されるべき単一の送信チェーンの例を示している。図４に示されたワイヤレスデバイス２０２ｂは、アンテナを介して受信されるべき単一の受信チェーンの例を示している。いくつかの実装形態では、ワイヤレスデバイス２０２ａまたは２０２ｂは、データを同時に送信するために複数のアンテナを使用してＭＩＭＯシステムの一部分を実装し得る。
【００８９】
[00111]図５Ａは、図１Ｂのワイヤレスネットワーク１５０内での衝突を伴う例示的なパケット送信５００を示す。上述したように、ワイヤレスネットワーク１５０内のデバイスは、同時に送信するとき、衝突を引き起こす場合がある。たとえば、ＡＰ１０４ｂは、プリアンブル５１０と複数のメディアアクセス制御プロトコルデータユニット（ＭＰＤＵ）５２０とをＳＴＡ１０６ｇに送信し得る。ＡＰ１０４ｂがＭＰＤＵ５２０を送信する間、ＳＴＡ１０６ｆなど、別のデバイスが、バースト性干渉５３０を送信する場合がある。いくつかの実施形態では、バースト性干渉５３０は、図５Ｂに示すように、１つまたは複数のＭＰＤＵ５２０を失敗させ得る。
【００９０】
[00112]図５Ｂは、図１Ｂのワイヤレスネットワーク１５０における例示的なパケット受信を示す。たとえば、ＳＴＡ１０６ｇは、プリアンブル５１０ａを受信し、復号プリアンブル５５０を生成することができる。ＳＴＡ１０６ｇはさらに、ＭＰＤＵ５２０を受信し、復号ＭＰＤＵ５６０を生成することができる。ＳＴＡ１０６ｇは、バースト性干渉５３０の前に受信されたＭＰＤＵ５２０を復号することが可能であり得る。バースト性干渉５３０中に受信されたＭＰＤＵ５２０は失敗する場合があり、結果として１つまたは複数の失敗ＭＰＤＵ５７０を生じる。さらに、バースト性干渉５３０の後で受信されたＭＰＤＵ５２０も失敗する場合がある。たとえば、ＳＴＡ１０６ｇは、各ＯＦＤＭシンボル中のパイロットトーンを使ってチャネルを追跡することができる。ＳＴＡ１０６ｇは、チャネルにおける位相の変化を示し得る位相オフセットを推定することができる。ＳＴＡ１０６ｇは、受信信号およびパイロットトーンに基づいて、周波数オフセットを算出することができる。
【００９１】
[00113]通常の条件下では、ＳＴＡ１０６ｇは、位相追跡ループ中で受信データトーンを訂正するのに、位相オフセットおよび／または周波数オフセットを使うことができる。いくつかの実施形態では、位相追跡ループは状態依存であり得る。バースト性干渉５３０の間、判断された位相オフセットおよび／または周波数オフセットは歪ませられる場合がある。したがって、ＳＴＡ１０６ｇは、正しくない修正を受信データに適用する可能性がある。さらに、位相追跡ループは、バースト性干渉５３０が終了した後であっても、正しくない状態に入る可能性があり、後続ＭＰＤＵ５７０に不適切な修正を受信させる。
【００９２】
[00114]いくつかの実施形態では、ＳＴＡ１０６ｇは、バースト性干渉５３０を検出し、ＳＴＡ１０６ｇの特性を修正することができる。たとえば、ＳＴＡ１０６ｇは、バースト性干渉５３０中に追跡ループを中断してよい。ある実施形態では、ＳＴＡ１０６ｇは、送信機ＡＰ１０４ｂにバースト性干渉５３０を通知することができる。様々な実施形態において、ＳＴＡ１０６ｇは、本明細書で記載する１つまたは複数の方法を、当技術分野において公知であり得る他の方法に加え、単独で、または組み合わせて使ってバースト性干渉５３０を検出することができる。
【００９３】
[00115]図６Ａは、図１Ｂのワイヤレスネットワーク１５０における干渉を検出および管理する例示的な方法についてのフローチャート６００である。この方法は、図２に示すワイヤレスデバイス２０２など、本明細書に記載するデバイスによって全体的または部分的に実装することができる。図示する方法は、ここでは図１Ｂを参照して上で論じたワイヤレス通信システム１５０、図２を参照して上で論じたワイヤレスデバイス２０２、および図５Ａ〜図５Ｂを参照して上で論じたデータ伝送５００を参照して記載されるが、本明細書に記載する別のデバイス、または他のどの適したデバイスによっても実装され得ることが当業者には諒解されよう。本明細書では、例示する方法を特定の順序に関して説明しているが、様々な実施形態において、本明細書のブロックは異なる順序で実施されても、または省略されてもよく、さらなるブロックが追加されてもよい。
【００９４】
[00116]ブロック６１０で、ワイヤレスデバイス２０２はデータユニットを処理する。たとえば、ＳＴＡ１０６ｇはＭＰＤＵ５２０のうちの１つを受信し得る。データユニットは、バースト性干渉５３０中に受信される場合も、されない場合もある。
【００９５】
[00117]ブロック６２０で、ワイヤレスデバイス２０２は、データユニットの復号が成功したかどうか判断する。たとえば、ＳＴＡ１０６ｇは、ＭＰＤＵ５２０の復号を試み得る。復号が成功した場合、ワイヤレスデバイス２０２は、ブロック６１０で、データユニットの残りを復号し続けることに進む。復号が失敗した場合（たとえば、フレーム検査が失敗した場合）、ワイヤレスデバイス２０２はブロック６３０に進む。
【００９６】
[00118]ブロック６３０で、ワイヤレスデバイス２０２は、データユニットがバースト性干渉により失敗したのかどうか判断する。様々な実施形態において、ワイヤレスデバイス２０２は、たとえば、図７〜図９を参照して本明細書で記載する方法および当技術分野において知られている他の任意の方法など、バースト性干渉を判断するための方法のうちの１つまたは複数を使うことができる。
【００９７】
[00119]ワイヤレスデバイス２０２は、単一の方法を単独で、または複数の方法を組み合わせて使うことができる。たとえば、ワイヤレスデバイス２０２は、複数のバースト性干渉検出方法の成果のヒューリスティックを適用してよい。ある実施形態では、ワイヤレスデバイス２０２は、たとえば、バースト性干渉が存在することを２つの別個の検出方法が独自に示すとき、バースト性干渉が存在すると判断してよい。
【００９８】
[00120]ブロック６４０で、バースト性干渉が存在するとワイヤレスデバイス２０２が判断した場合、ワイヤレスデバイス２０２は、チャネル追跡を中断してよい。たとえば、ワイヤレスデバイス２０２は、周波数オフセットおよび／または位相の判断および／または算出を停止してよい。ワイヤレスデバイス２０２は、周波数オフセットおよび／または位相に基づいて、訂正の適用を停止することができる。様々な実施形態において、ワイヤレスデバイス２０２は、場合によっては、パイロット追跡ループをフリーズし、中断し、または終了してよい。
【００９９】
[00121]ブロック６５０で、ワイヤレスデバイス２０２は、データユニットがそこから受信された送信デバイスに、バースト性干渉によりデータユニットが失敗したと通知することができる。ワイヤレスデバイス２０２は、バースト性干渉のいかなる表示を与えてもよい。たとえば、ＳＴＡ１０６ｇは、１つまたは複数のＭＰＤＵ５２０がバースト性干渉により失敗したことを示すメッセージを、ＡＰ１０４ｂに送信してよい。
【０１００】
[00122]ブロック６６０で、バースト性干渉が存在しないとワイヤレスデバイス２０２がブロック６３０で判断した場合、ワイヤレスデバイス２０２は、チャネル追跡を再開してよい。チャネル追跡が以前に中断されていない場合、ワイヤレスデバイス２０２は、チャネル追跡に関するさらなるアクションはとらなくてよい。ワイヤレスデバイス２０２は次いで、ブロック６１０で、次のデータユニットの処理に進んでよい。
【０１０１】
[00123]図６Ｂは、図１Ｂのワイヤレスネットワークにおけるバースト性干渉の存在を検出する例示的な方法についてのフローチャートである。いくつかの態様では、プロセス６７５は、図２に示されたワイヤレスデバイス２０２によって実施され得る。いくつかの態様では、プロセス６７５は局によって実施され得る。いくつかの態様では、プロセス６７５はアクセスポイントによって実施され得る。いくつかの態様では、プロセス６７５はリレーによって実施され得る。ブロック６８０で、ワイヤレスデバイスにおいてメッセージが受信され、このメッセージは送信デバイスから送信されたものである。ブロック６８５で、受信ワイヤレスデバイスは、メッセージが、バースト性干渉によって引き起こされたエラーを含むかどうか判断する。様々な態様において、ブロック６８５は、メッセージが、バースト性干渉によって引き起こされたエラーを含むかどうかを検出するのに、それぞれ図６Ａ、図７、図８、または図９を参照して論じるプロセス６００、７００、８００、または９００のうちの１つまたは複数を使用し得る。
【０１０２】
[00124]ブロック６９０で、バースト性干渉が検出された場合、チャネル追跡が中断される。たとえば、ワイヤレスデバイス２０２は、周波数オフセットおよび／または位相の判断および／または算出を停止してよい。ワイヤレスデバイス２０２は、周波数オフセットおよび／または位相に基づいて、訂正の適用を停止することができる。様々な実施形態において、ワイヤレスデバイス２０２は、場合によっては、パイロット追跡ループをフリーズし、中断し、または終了してよい。
【０１０３】
[00125]図７は、図１Ｂのワイヤレスネットワーク１５０における干渉を検出および管理する別の例示的な方法についてのフローチャート７００である。様々な実施形態において、ワイヤレスデバイス２０２（図２）は、図６Ａのブロック６３０でバースト性干渉を判断するのに、フローチャート７００の方法を、単独で、または他の方法と組み合わせて使うことができる。この方法は、図２に示すワイヤレスデバイス２０２など、本明細書に記載するデバイスによって全体的または部分的に実装することができる。図示する方法は、ここでは図１Ｂを参照して上で論じたワイヤレス通信システム１５０、図２を参照して上で論じたワイヤレスデバイス２０２、および図５Ａ〜図５Ｂを参照して上で論じたデータ伝送５００を参照して記載されるが、本明細書に記載する別のデバイス、または他のどの適したデバイスによっても実装され得ることが当業者には諒解されよう。本明細書では、例示する方法を特定の順序に関して説明しているが、様々な実施形態において、本明細書のブロックは異なる順序で実施されても、または省略されてもよく、さらなるブロックが追加されてもよい。
【０１０４】
[00126]ブロック７１０で、ワイヤレスデバイス２０２は、パイロットチャネルについての位相および／または周波数オフセットを追跡する。たとえば、ＳＴＡ１０６ｇは、ＡＰ１０４ｂから受信されたＯＤＦＭ信号中のパイロットトーンに基づいて、位相の変化を示す位相オフセットを推定することができる。ＳＴＡ１０６ｇは、受信信号および／またはパイロットトーンに基づいて、周波数オフセットを算出することもできる。
【０１０５】
[00127]ブロック７２０で、ワイヤレスデバイス２０２は、追跡された周波数オフセットおよび／または位相に基づいて、データチャネルに訂正を適用する。たとえば、ＳＴＡ１０６ｇは、上のブロック７１０で追跡されたオフセットをキャンセルするように算出された訂正を、データチャネルに適用してよい。信号伝播はパイロットトーンおよびデータに対して同様であり得るので、既知のパイロットトーン用に判断されたオフセットが、データに適用されてよい。
【０１０６】
[00128]ブロック７３０で、ワイヤレスデバイス２０２は、追跡された周波数オフセットおよび／または位相に基づいて、バースト性干渉を検出する。いくつかの実施形態では、バースト性干渉は、オフセットを、通常よりもはるかに大きくさせ得る。したがって、ＳＴＡ１０６ｇは、周波数オフセットを、バースト性干渉を示す閾値と比較すればよい。たとえば、ＳＴＡ１０６ｇは、周波数オフセットが１ｋＨｚよりも大きいとき、バースト性干渉が存在すると判断してよい。ある実施形態では、ＳＴＡ１０６ｇは、位相オフセットを、バースト性干渉を示す閾値と比較すればよい。
【０１０７】
[00129]閾値値は、あらかじめ決定され（たとえば、メモリ２０６に記憶され）、かつ／または動的に判断されてよい。たとえば、ワイヤレスデバイス２０２は、周波数オフセットおよび／または位相の履歴を維持することができ、最も直近のオフセットを、履歴オフセットの統計的基準と比較すればよい。ある実施形態では、ワイヤレスデバイス２０２は、最も直近のオフセットが、履歴オフセットの平均を上回る１つの標準偏差よりも大きいとき、バースト干渉が存在すると判断してよい。同様に、ワイヤレスデバイス２０２は、最も直近のオフセットが、あらかじめ決定され、かつ／または動的に判断された閾値を下回るとき、バースト性干渉が存在しないと判断してよい。
【０１０８】
[00130]ブロック７４０で、ワイヤレスデバイス２０２は、バースト性干渉を検出すると、データ訂正の適用を抑制する。いくつかの実施形態では、ワイヤレスデバイス２０２は、バースト性干渉を検出する間、チャネル追跡ループを中断してよい。ワイヤレスデバイス２０２は、バースト性干渉が存在しないことを検出したとき、データ訂正および／またはチャネル追跡を再開してよい。たとえば、ワイヤレスデバイス２０２は、周波数オフセットが１ｋＨｚ未満のとき、データ訂正を再開してよい。
【０１０９】
[00131]ある実施形態では、図７に示す方法は、追跡回路と、適用回路と、検出回路と、抑制回路とを含み得るワイヤレスデバイス内で実装され得る。ワイヤレスデバイスは、本明細書に記載する簡略化されたワイヤレスデバイスよりも多くの構成要素を有し得ることが、当業者には諒解されよう。本明細書で説明するワイヤレスデバイスは、特許請求の範囲の範囲内の実装形態のいくつかの顕著な特徴を説明するのに有用な構成要素のみを含む。
【０１１０】
[00132]追跡回路は、パイロットチャネルについての周波数オフセットおよび／または位相を追跡するように構成され得る。追跡回路は、ブロック７１０に関して上記で説明した機能のうちの１つまたは複数を実施するように構成され得る。追跡回路は、プロセッサ２０４（図２）、メモリ２０６（図２）、ＤＳＰ２２０（図２）、信号検出器２１８（図２）、受信機２１２（図２）、トランシーバ２１４（図２）、アンテナ２１６（図２）、およびチャネル推定器兼等化器４０５（図４）のうちの１つまたは複数を含み得る。いくつかの実装形態では、追跡するための手段が追跡回路を含み得る。
【０１１１】
[00133]適用回路は、データチャネルに訂正を適用するように構成され得る。適用回路は、ブロック７２０に関して上記で説明した機能のうちの１つまたは複数を実施するように構成され得る。適用回路は、プロセッサ２０４（図２）、メモリ２０６（図２）、ＤＳＰ２２０（図２）、およびチャネル推定器兼等化器４０５（図４）のうちの１つまたは複数を含み得る。いくつかの実装形態では、追跡するための手段が追跡回路を含み得る。
【０１１２】
[00134]検出回路は、バースト性干渉を検出するように構成され得る。いくつかの態様では、検出回路は、ブロック７３０に関して上記で説明された機能のうちの１つまたは複数を実施するように構成され得る。検出回路は、プロセッサ２０４（図２）、メモリ２０６（図２）、ＤＳＰ２２０（図２）、およびチャネル推定器兼等化器４０５（図４）のうちの１つまたは複数を含み得る。いくつかの実装形態では、検出するための手段が検出回路を含み得る。
【０１１３】
[00135]抑制回路は、バースト性干渉が検出されると、訂正を適用するのを抑制するように構成され得る。いくつかの態様では、抑制回路は、ブロック７４０に関して上記で説明された機能のうちの１つまたは複数を実施するように構成され得る。抑制回路は、プロセッサ２０４（図２）、メモリ２０６（図２）、ＤＳＰ２２０（図２）、およびチャネル推定器兼等化器４０５（図４）のうちの１つまたは複数を含み得る。いくつかの実装形態では、抑制するための手段が抑制回路を含み得る。
【０１１４】
[00136]図８は、図１Ｂのワイヤレスネットワーク１５０における干渉を検出および管理する別の例示的な方法についてのフローチャート８００である。様々な実施形態において、ワイヤレスデバイス２０２（図２）は、図６Ａのブロック６３０でバースト性干渉を判断するのに、フローチャート８００の方法を、単独で、または他の方法と組み合わせて使うことができる。この方法は、図２に示すワイヤレスデバイス２０２など、本明細書に記載するデバイスによって全体的または部分的に実装することができる。図表示するる方法は、ここでは図１Ｂを参照して上で論じたワイヤレス通信システム１５０、図２を参照して上で論じたワイヤレスデバイス２０２、および図５Ａ〜図５Ｂを参照して上で論じたデータ伝送５００を参照して記載されるが、本明細書に記載する別のデバイス、または他のどの適したデバイスによっても実装され得ることが当業者には諒解されよう。本明細書では、例示する方法を特定の順序に関して説明しているが、様々な実施形態において、本明細書のブロックは異なる順序で実施されても、または省略されてもよく、さらなるブロックが追加されてもよい。
【０１１５】
[00137]ブロック８１０で、ワイヤレスデバイス２０２は、送信機から１つまたは複数のデータユニットを受信する。たとえば、ＳＴＡ１０６ｇは、ＡＰ１０４ｂからＭＰＤＵ５２０を受信することができる。いくつかの実施形態では、バースト性干渉５３０は、データユニット受信中に存在し得る。
【０１１６】
[00138]ブロック８２０で、ワイヤレスデバイス２０２は、データユニットについてのエラーおよび強度基準を追跡する。たとえば、ＳＴＡ１０６ｇは、ＡＰ１０４ｂから受信されたＭＰＤＵ５２０についての受信（ＲＸ）エラーベクトルの大きさ（ＥＶＭ）を追跡し得る。ある実施形態では、ＳＴＡ１０６ｇは、理想的なコンスタレーション点と復号されたコンスタレーション点との間の二乗平均（ＲＭＳ）距離に基づいて、ＭＰＤＵ５２０を復号する間、ＲＸ  ＥＶＭを推定することができる。ＳＴＡ１０６ｇはさらに、受信信号強度インジケータ（ＲＳＳＩ）および／またはノイズフロアを追跡することができる。
【０１１７】
[00139]バースト性干渉５３０がないとき、エラー基準は強度基準に比例し得る。たとえば、ＲＸ  ＥＶＭは、ＲＳＳＩ（いくつかの実施形態では、ノイズフロアに対して定義され得る）に正（または逆）比例し得る。言い換えると、バースト性干渉がない場合、弱いＲＳＳＩは、乏しいＲＸ  ＥＶＭと一致し得る。一方、強いバースト性干渉５３０が存在する場合、エラー基準は、強度基準が高い強度を示す間であっても、高いエラーレートを示し得る。たとえば、ＥＸ  ＥＶＭは、ＲＳＳＩが高い信号強度を示すとき、高いエラーレートを示し得る。
【０１１８】
[00140]ある実施形態では、ワイヤレスデバイス２０２は、エラー基準と強度基準との間の比を算出し、その結果を閾値と比較することができる。ある実施形態では、ワイヤレスデバイス２０２は、エラー基準と強度基準からノイズフロアを差し引いたものとの比を算出することができる。閾値は、あらかじめ決定され、かつ／または動的に判断されてよい（たとえば、オフセット閾値に関して上述したように）。比が閾値を超えたとき、ワイヤレスデバイス２０２は、バースト性干渉が存在すると判断してよい。同様に、比が閾値を超えないとき、ワイヤレスデバイス２０２は、バースト性干渉が存在しないと判断してよい。
【０１１９】
[00141]ブロック８４０で、ワイヤレスデバイス２０２は、送信デバイスにバースト性干渉を報告してよい。たとえば、ＳＴＡ１０６ｇは、ＡＰ１０４ｂにバースト性干渉５３０を報告してよい。したがって、ＡＰ１０４ｂは、１つまたは複数の送信特性を調整しても、調整を抑制してもよい。様々な実施形態において、ワイヤレスデバイス２０２は、バースト性干渉を、逆チャネル上で、肯定応答のシステムを通して、などのようにして、報告することができる。
【０１２０】
[00142]ある実施形態では、図８に示す方法は、受信回路と、追跡回路と、検出回路と、報告回路とを含み得るワイヤレスデバイス内で実装され得る。ワイヤレスデバイスは、本明細書に記載する簡略化されたワイヤレスデバイスよりも多くの構成要素を有し得ることが、当業者には諒解されよう。本明細書で説明するワイヤレスデバイスは、特許請求の範囲の範囲内の実装形態のいくつかの顕著な特徴を説明するのに有用な構成要素のみを含む。
【０１２１】
[00143]受信回路は、送信デバイスから１つまたは複数のデータユニットを受信するように構成され得る。いくつかの態様では、受信回路は、ブロック８１０に関して上記で説明された機能のうちの１つまたは複数を実施するように構成され得る。受信回路は、プロセッサ２０４（図２）、メモリ２０６（図２）、ＤＳＰ２２０（図２）、信号検出器２１８（図２）、受信機２１２（図２）、トランシーバ２１４（図２）、アンテナ２１６（図２）、およびチャネル推定器兼等化器４０５（図４）のうちの１つまたは複数を含み得る。いくつかの実装形態では、受信するための手段が、受信回路を含み得る。
【０１２２】
[00144]追跡回路は、データユニットについてのエラーおよび強度基準を追跡するように構成され得る。いくつかの態様では、追跡回路は、ブロック８２０に関して上記で説明された機能のうちの１つまたは複数を実施するように構成され得る。追跡回路は、プロセッサ２０４（図２）、メモリ２０６（図２）、ＤＳＰ２２０（図２）、信号検出器２１８（図２）、受信機２１２（図２）、トランシーバ２１４（図２）、アンテナ２１６（図２）、およびチャネル推定器兼等化器４０５（図４）のうちの１つまたは複数を含み得る。いくつかの実装形態では、追跡するための手段が追跡回路を含み得る。
【０１２３】
[00145]検出回路は、バースト性干渉を検出するように構成され得る。いくつかの態様では、検出回路は、ブロック８３０に関して上記で説明された機能のうちの１つまたは複数を実施するように構成され得る。検出回路は、プロセッサ２０４（図２）、メモリ２０６（図２）、ＤＳＰ２２０（図２）、およびチャネル推定器兼等化器４０５（図４）のうちの１つまたは複数を含み得る。いくつかの実装形態では、検出するための手段が検出回路を含み得る。
【０１２４】
[00146]報告回路は、送信デバイスから１つまたは複数のデータユニットを受信するように構成され得る。いくつかの態様では、報告回路は、ブロック８４０に関して上記で説明された機能のうちの１つまたは複数を実施するように構成され得る。報告回路は、プロセッサ２０４（図２）、メモリ２０６（図２）、ＤＳＰ２２０（図２）、送信機２１０、トランシーバ２１４（図２）、およびアンテナ２１６（図２）のうちの１つまたは複数を含み得る。いくつかの実装形態では、報告するための手段が報告回路を含み得る。
【０１２５】
[00147]図９は、図１Ｂのワイヤレスネットワーク１５０における干渉を検出および管理する別の例示的な方法についてのフローチャート９００である。様々な実施形態において、ワイヤレスデバイス２０２（図２）は、図６Ａのブロック６３０でバースト性干渉を判断するのに、フローチャート９００の方法を、単独で、または他の方法と組み合わせて使うことができる。この方法は、図２に示すワイヤレスデバイス２０２など、本明細書に記載するデバイスによって全体的または部分的に実装することができる。図示する方法は、ここでは図１Ｂを参照して上で論じたワイヤレス通信システム１５０、図２を参照して上で論じたワイヤレスデバイス２０２、および図５Ａ〜図５Ｂを参照して上で論じたデータ伝送５００を参照して記載されるが、本明細書に記載する別のデバイス、または他のどの適したデバイスによっても実装され得ることが当業者には諒解されよう。本明細書では、例示する方法を特定の順序に関して説明しているが、様々な実施形態において、本明細書のブロックは異なる順序で実施されても、または省略されてもよく、さらなるブロックが追加されてもよい。
【０１２６】
[00148]ブロック９１０で、ワイヤレスデバイス２０２は、送信デバイスから受信されたオリジナルの信号の１つまたは複数のデータユニットを復号する。たとえば、再び図５Ａを参照すると、ＳＴＡ１０６ｇは、図５Ｂにおいて復号ＭＰＤＵ５６０によって表される、ＭＰＤＵ５２０の少なくとも一部分を復号することができる。いくつかの実施形態では、バースト性干渉５３０は、１つまたは複数のＭＰＤＵ５２０の受信および復号中に存在し得る。いくつかの実施形態では、干渉は、失敗ＭＰＤＵ５７０を引き起こす程十分には強くない場合がある。いくつかの態様において、バースト性干渉５３０は、ブロック９１０で復号され得る。
【０１２７】
[00149]ブロック９２０で、ワイヤレスデバイス２０２は、復号されたデータユニットを再変調する。ブロック９２０のいくつかの態様では、図５Ａの復号されたバースト性干渉５３０が再変調され得る。これらの態様において、再変調されたバースト性干渉は、オリジナルのバースト性干渉が何であったかを示し得る。
【０１２８】
[00150]ブロック９３０で、ワイヤレスデバイス２０２は、再変調データユニットまたは再変調されたバースト性干渉を、オリジナルの信号からキャンセルする。たとえば、いくつかの態様において、ＳＴＡ１０６ｇは、ＡＰ１０４ｂから受信されたオリジナルの信号のコピーを、メモリ２０６に記憶し、記憶されたオリジナルのものから、再変調信号を差し引けばよい。様々な実施形態において、ＳＴＡ１０６ｇは、再変調データユニットを、部分的に、または段階的にキャンセルすればよい。ＳＴＡ１０６ｇは、キャンセルされた信号をメモリ２０６に記憶すればよい。
【０１２９】
[00151]ブロック９４０で、ワイヤレスデバイス２０２は、キャンセルから生じた残差信号に対してパケット検出を実施する。いくつかの態様において、データユニットの送信中に干渉が存在する場合、残差信号は、干渉を少なくとも部分的に示し得る。したがって、干渉が、別のデバイスによって送信されたパケットを含むバースト性干渉である場合、干渉は、データがパケットの一部、たとえば、プリアンブル、ガード間隔などであるという表示を含み得る。
【０１３０】
[00152]バースト性干渉５３０が再変調される態様において、残差信号は、ＭＰＤＵ５２０を少なくとも部分的に示し得る。いくつかの態様において、図５Ｂに示す失敗ＭＰＤＵ５７０の少なくとも一部分は、残差信号からの復号に成功している場合がある。
【０１３１】
[00153]ワイヤレスデバイス２０２が、残差信号が衝突パケット（プリアンブルやガード間隔など）を含むという表示を検出した場合、プロセス９００を実施するデバイスは、受信中にバースト性干渉が存在したと判断してよい。同様に、プロセス９００を実施するデバイスが、残差信号が衝突パケット（プリアンブルやガード間隔など）を含むという表示を検出しなかった場合、ワイヤレスデバイスは、受信中にバースト性干渉が存在しなかったと判断してよい。
【０１３２】
[00154]ある実施形態では、図９に示す方法は、復号回路と、再変調回路と、キャンセル回路と、検出回路とを含み得るワイヤレスデバイス内で実装され得る。ワイヤレスデバイスは、本明細書に記載する簡略化されたワイヤレスデバイスよりも多くの構成要素を有し得ることが、当業者には諒解されよう。本明細書で説明するワイヤレスデバイスは、特許請求の範囲の範囲内の実装形態のいくつかの顕著な特徴を説明するのに有用な構成要素のみを含む。
【０１３３】
[00155]復号回路は、オリジナルの信号の１つまたは複数のデータユニットを受信し復号するように構成され得る。いくつかの態様では、復号回路は、ブロック９１０に関して上記で説明された機能のうちの１つまたは複数を実施するように構成され得る。復号回路は、プロセッサ２０４（図２）、メモリ２０６（図２）、ＤＳＰ２２０（図２）、信号検出器２１８（図２）、受信機２１２（図２）、トランシーバ２１４（図２）、アンテナ２１６（図２）、およびチャネル推定器兼等化器４０５（図４）のうちの１つまたは複数を含み得る。いくつかの実装形態では、復号するための手段が復号回路を含み得る。
【０１３４】
[00156]再変調回路は、データユニットについてのエラーおよび強度基準を追跡するように構成され得る。いくつかの態様では、再変調回路は、ブロック９２０に関して上記で説明された機能のうちの１つまたは複数を実施するように構成され得る。再変調回路は、プロセッサ２０４（図２）、メモリ２０６（図２）、ＤＳＰ２２０（図２）、変調器３０２、ＩＦＦＴ３０４、およびＤ／Ａ３０６のうちの１つまたは複数を含み得る。いくつかの実装形態では、再変調するための手段が再変調回路を含み得る。
【０１３５】
[00157]キャンセル回路は、オリジナルの信号から再変調データユニットをキャンセルするように構成され得る。いくつかの態様では、キャンセル回路は、ブロック９３０に関して上記で説明された機能のうちの１つまたは複数を実施するように構成され得る。キャンセル回路は、プロセッサ２０４（図２）、メモリ２０６（図２）、およびＤＳＰ２２０（図２）のうち１つまたは複数を含み得る。いくつかの実装形態では、キャンセルするための手段がキャンセル回路を含み得る。
【０１３６】
[00158]検出回路は、キャンセル回路によって実施されたキャンセルから生じた残差信号に対してパケット検出を実施するように構成され得る。いくつかの態様では、検出回路は、ブロック９４０に関して上記で説明された機能のうちの１つまたは複数を実施するように構成され得る。検出回路は、プロセッサ２０４（図２）、メモリ２０６（図２）、ＤＳＰ２２０（図２）、および信号検出器２１８のうち１つまたは複数を含み得る。いくつかの実装形態では、検出するための手段が検出回路を含み得る。
【０１３７】
[00159]図１０Ａは、ワイヤレスネットワーク上でのバースト性干渉の存在をシグナリングする方法の一実装形態のフローチャートである。いくつかの態様では、プロセス１０００は、図２に示されたワイヤレスデバイス２０２によって実施され得る。いくつかの態様では、プロセス１０００は局によって実施され得る。いくつかの態様では、プロセス１０００はアクセスポイントによって実施され得る。いくつかの態様では、プロセス１０００はリレーによって実施され得る。ブロック１００５で、ワイヤレスネットワークからメッセージが受信される。メッセージは、競合期間中または無競合期間中に受信され得る。
【０１３８】
[00160]ブロック１００８で、受信メッセージが、バースト性干渉によって引き起こされたエラーを含むかどうか判断される。いくつかの態様では、受信メッセージに対してエラー検出が実施され得る。たとえば、受信ノードが、ＯＦＤＭシンボル中のパイロットトーンを使って、メッセージを受信するのに使われるチャネルを追跡し得る。パイロットトーンに基づいて、位相オフセットが推定され得る。位相オフセットは、チャネルにおける位相の変化を測定する。受信機は、パイロットトーンに基づいて、周波数オフセットを判断することもできる。チャネルの位相オフセットおよび周波数オフセットは、定期的に、または繰り返し判断され得る。いくつかの態様において、２つの判断された位相オフセットの間の差および／または２つの判断された周波数オフセットの間の差が、対応する閾値値を上回る場合、受信機は、バースト性干渉が起きていると判断してよい。
【０１３９】
[00161]いくつかの態様において、受信ノードは、ワイヤレスメッセージを復号するとき、エラーベクトルの大きさ（ＥＶＭ）を推定することができる。ＥＶＭは、理想的なコンスタレーション点と復号されたコンスタレーション点との間の二乗平均（ＲＭＳ）距離に基づいて判断され得る。受信ノードは、ＥＶＭが、現在のＲＳＳＩ測定値について予想されるよりも高い場合、バースト性干渉が存在すると判断してよい。たとえば、ＲＳＳＩ測定値が強い場合、低いＥＶＭが予想される。強いＲＳＳＩにかかわらずＥＶＭが高い場合、受信ノードは、バースト性干渉が存在すると判断してよい。
【０１４０】
[00162]いくつかの態様において、受信ノードは、受信信号に基づいて、復号された信号を再変調し、それを受信信号に対してキャンセルすることができる。いくつかの態様は、キャンセル後の信号に基づいて、バースト性干渉の存在を判断することができる。いくつかの態様において、キャンセルされた信号は、プリアンブル検出器および／またはガード間隔検出器に入力として与えられ得る。プリアンブル検出器および／またはガード間隔検出器の出力は、干渉するＷｉ−Ｆｉ信号の存在を検出するのに使われ得る。いずれかの検出器の出力は、干渉するＷｉ−Ｆｉ信号の強度を推定するのにも使われ得る。
【０１４１】
[00163]いくつかの態様において、プロセス１０００を実施する受信ノードは、バースト性干渉を検出するのに、それぞれ図６Ａ、図７、図８、または図９を参照して記載したプロセス６００、７００、８００、９００のうちの１つまたは複数を使用することができる。
【０１４２】
[00164]ブロック１０１０で、受信メッセージがバースト性干渉によって引き起こされたエラーを含んでいたかどうかを示すメッセージが、送信される。この表示は、上述したエラー検出に基づいてセットされ得る。いくつかの態様において、送信メッセージはブロック肯定応答メッセージである。複数のＭＰＤＵが確認されているとき、バースト性干渉を示すブロック肯定応答メッセージが送信され得る。一態様では、いずれかのエラーがバースト性干渉によって引き起こされたかどうかが、ブロック肯定応答メッセージの予約済みフィールド中で示され得る。いくつかの態様において、送信メッセージは、単一のＭＰＤＵに対する否定応答として働き得る。たとえば、単一のＭＰＤＵの受信に応答して、否定応答が送信され得る。これらの態様のうちのいくつかでは、バースト性干渉の存在は、送信メッセージの受信機アドレスフィールドによって示され得る。たとえば、ブロードキャスト受信機アドレスは、いくつかの態様において、受信メッセージにおけるバースト性干渉の存在を示し得る。
【０１４３】
[00165]いくつかの態様において、メッセージは、バースト性干渉によって引き起こされた、受信メッセージ中のエラーの数量の表示を含み得る。たとえば、いくつかの態様において、送信メッセージは、２進形で、受信メッセージ中のバースト性エラーの数の表示を符号化するフィールドを含み得る。他の実施形態では、送信メッセージは、数量のより粗い表示を含み得る。たとえば、メッセージは、受信メッセージ中で検出されたバースト性エラーの数を、定数で除算したものを示し得る。たとえば、１〜１０個のエラーは、１の符号化値で示すことができ、１１〜２０個のエラーは、送信メッセージ中で２の符号化値で示すことができる。別の態様では、メッセージは、バースト性エラーが検出されなかったか、単一のバースト性エラーが検出されたか、それとも複数のバースト性エラーが検出されたかを示し得る。
【０１４４】
[00166]図１０Ｂは、バースト性干渉についての情報がワイヤレス通信ネットワーク上でシグナリングされているかどうかを示す一実装形態のフローチャートである。いくつかの態様では、プロセス１０５０は、図２に示されたワイヤレスデバイス２０２によって実施され得る。いくつかの態様では、プロセス１０５０は局によって実施され得る。いくつかの態様では、プロセス１０５０はアクセスポイントによって実施され得る。いくつかの態様では、プロセス６００はリレーによって実施され得る。ブロック１０５５で、ワイヤレスネットワークからメッセージが受信される。
【０１４５】
[00167]ブロック１０５８で、受信メッセージが、バースト性干渉によって引き起こされたエラーを含むかどうか判断される。いくつかの態様では、受信メッセージに対してエラー検出が実施され得る。たとえば、受信ノードが、ＯＦＤＭシンボル中のパイロットトーンを使って、メッセージを受信するのに使われるチャネルを追跡し得る。パイロットトーンに基づいて、位相オフセットが推定され得る。位相オフセットは、チャネルにおける位相の変化を測定する。受信機は、パイロットトーンに基づいて、周波数オフセットを判断することもできる。チャネルの位相オフセットおよび周波数オフセットは、定期的に、または繰り返し判断され得る。いくつかの態様において、２つの判断された位相オフセットの間の差および／または２つの判断された周波数オフセットの間の差が、対応する閾値値を上回る場合、受信機は、バースト性干渉が起きていると判断してよい。
【０１４６】
[00168]いくつかの態様において、受信ノードは、ワイヤレスメッセージを復号するとき、エラーベクトルの大きさ（ＥＶＭ）を推定することができる。ＥＶＭは、理想的なコンスタレーション点と復号されたコンスタレーション点との間の二乗平均（ＲＭＳ）距離に基づいて判断され得る。受信ノードは、ＥＶＭが、現在のＲＳＳＩ測定値について予想されるよりも高い場合、バースト性干渉が存在すると判断してよい。たとえば、ＲＳＳＩ測定値が強い場合、低いＥＶＭが予想される。強いＲＳＳＩにかかわらずＥＶＭが高い場合、受信ノードは、バースト性干渉が存在すると判断してよい。
【０１４７】
[00169]いくつかの態様において、受信ノードは、受信信号に基づいて、復号された信号を再変調し、それを受信信号に対してキャンセルすることができる。いくつかの態様は、キャンセル後の信号に基づいて、バースト性干渉の存在を判断することができる。いくつかの態様において、キャンセルされた信号は、プリアンブル検出器および／またはガード間隔検出器に入力として与えられ得る。プリアンブル検出器および／またはガード間隔検出器の出力は、干渉するＷｉ−Ｆｉ信号の存在を検出するのに使われ得る。いずれかの検出器の出力は、干渉するＷｉ−Ｆｉ信号の強度を推定するのにも使われ得る。
【０１４８】
[00170]いくつかの態様において、プロセス１０５０を実施する受信ノードは、バースト性干渉を検出するのに、それぞれ図６Ａ、図７、図８、または図９を参照して記載したプロセス６００、７００、８００、９００のうちの１つまたは複数を使用することができる。
【０１４９】
[00171]ブロック１０６０で、第１の表示を含むメッセージが送信される。第１の表示は、送信メッセージが第２の表示を含むかどうかを示す。第２の表示は、受信メッセージが、バースト性干渉によって引き起こされたエラーを含んでいたかどうかを示す。いくつかの態様において、第１のメッセージは、送信メッセージが第２の表示を含まないことを示す。いくつかの態様において、第１の表示は、送信メッセージが第２の表示を含むことを示す。いくつかの態様において、送信メッセージはブロック肯定応答メッセージである。いくつかの態様において、プロセス１０５０を実施する受信ノードは、バースト性干渉を検出するのに、それぞれ図６、図７、図８、図９、または図１０を参照して記載したプロセス６００、７００、８００、９００のうちの１つまたは複数を使用することができる。
【０１５０】
[00172]複数のＭＰＤＵが確認されているとき、バースト性干渉を示すブロック肯定応答メッセージが、ブロック１０６０によって送信され得る。一態様では、受信メッセージが、バースト性干渉によって引き起こされたエラーを含んでいたかどうかを送信メッセージが示すかどうかは、ブロック肯定応答メッセージの予約済みフィールド中で示され得る。言い換えると、上で論じた第１の表示は、ブロック肯定応答メッセージの予約済みフィールド中に含まれ得る。送信メッセージが、バースト性干渉エラーの表示を実際に含む場合、表示は、ブロック肯定応答メッセージの予約済みフィールドによって与えられ得る。言い換えると、上で論じた第２の表示も、ブロック肯定応答メッセージの予約済みフィールド中に含まれ得る。
【０１５１】
[00173]いくつかの態様において、送信メッセージは、単一のＭＰＤＵに対する否定応答として働き得る。これらの態様のうちのいくつかでは、バースト性干渉の存在は、送信メッセージの受信機アドレスフィールドによって示され得る。たとえば、ブロードキャスト受信機アドレスは、いくつかの態様において、受信メッセージにおけるバースト性干渉の存在を示し得る。
【０１５２】
[00174]いくつかの態様において、送信メッセージは、バースト性干渉によって引き起こされた、受信メッセージ中のエラーの数量の表示を含み得る。たとえば、いくつかの態様において、送信メッセージは、２進形で、受信メッセージ中のバースト性エラーの数の表示を符号化するフィールドを含み得る。他の実施形態では、送信メッセージは、数量のより粗い表示を含み得る。たとえば、メッセージは、受信メッセージ中で検出されたバースト性エラーの数を、定数で除算したものを示し得る。たとえば、１〜１０個のエラーは、１の符号化値で示すことができ、１１〜２０個のエラーは、送信メッセージ中で２の符号化値で示すことができる。別の態様では、メッセージは、バースト性エラーが検出されなかったか、単一のバースト性エラーが検出されたか、それとも複数のバースト性エラーが検出されたかを示し得る。
【０１５３】
[00175]いくつかの態様において、プロセス１０５０を実施するデバイスは、バースト性干渉を検出するのに、それぞれ図６Ａ、図７、図８、または図９を参照して記載したプロセス６００、７００、８００、９００のうちの１つまたは複数を使用することができる。
【０１５４】
[00176]図１１Ａは、ワイヤレスネットワーク上でのバースト性干渉の存在をシグナリングする方法の一実装形態のフローチャートである。いくつかの態様では、プロセス１１００は、図２に示されたワイヤレスデバイス２０２によって実施され得る。いくつかの態様では、プロセス１１００は局によって実施され得る。いくつかの態様では、プロセス１１００はアクセスポイントによって実施され得る。いくつかの態様では、プロセス１１００はリレーによって実施され得る。ブロック１１０５で、ワイヤレスネットワーク上でメッセージが送信される。
【０１５５】
[00177]ブロック１１１０で、送信メッセージの受信が、バースト性干渉によって引き起こされたエラーを含んでいたかどうかを示すメッセージが受信される。いくつかの態様において、受信メッセージはブロック肯定応答である。これらの態様のうちのいくつかでは、表示は、ブロック肯定応答中の１つまたは複数の複数の予約されたビットによって示される。
【０１５６】
[00178]いくつかの態様において、受信メッセージは、単一のＭＰＤＵについての否定応答である。いくつかの態様において、受信メッセージ中のマルチキャスト受信機アドレスフィールドは、バースト性干渉によって引き起こされたエラーを示す。いくつかの他の態様では、フレーム制御フィールドのタイプおよび／またはサブタイプフィールドが、否定応答を示し得る。メッセージはその場合、送信メッセージの受信が、バースト性干渉によって引き起こされたエラーを含んでいたかどうかを示す追加フィールドを含み得る。
【０１５７】
[00179]いくつかの態様において、表示は、バースト性干渉によって引き起こされたエラーの数量を示す。たとえば、いくつかの態様において、受信メッセージは、２進形で、送信メッセージの受信中に起きたバースト性エラーの数を符号化するフィールドを含み得る。他の実施形態では、受信メッセージは、数量のより粗い表示を含み得る。たとえば、メッセージは、送信メッセージの受信中に検出されたバースト性エラーの数を、定数で除算したものを示し得る。たとえば、１〜１０個のエラーは、１の符号化値で示すことができ、１１〜２０個のエラーは、受信メッセージ中で２の符号化値で表すことができる。別の態様では、受信メッセージは、バースト性エラーが検出されなかったか、単一のバースト性エラーが検出されたか、それとも複数のバースト性エラーが検出されたかを示し得る。
【０１５８】
[00180]いくつかの態様において、方法は、表示に基づいて送信パラメータを修正することをさらに備える。たとえば、いくつかの態様において、ワイヤレスネットワーク上でのメッセージの送信は、表示に応答して繰り返されてよい。いくつかの態様において、重複メッセージを送信するとき、ラプターコードが使われ得る。いくつかの態様において、ワイヤレスネットワーク上でのメッセージの送信は、表示に基づいて延期されてよい。たとえば、すべての送信の送信は、バックオフアルゴリズムの使用により延期され得る。いくつかの態様において、受信メッセージを送信する、ワイヤレスノードへのメッセージの送信が延期され得る。たとえば、ノードを宛先とするメッセージの送信優先度は、他のワイヤレスノードに宛てられたメッセージの送信優先度に対して低減され得る。
【０１５９】
[00181]図１１Ｂは、ワイヤレスネットワーク上でのバースト性干渉の存在をシグナリングする方法の一実装形態のフローチャートである。いくつかの態様では、プロセス１１５０は、図２に示されたワイヤレスデバイス２０２によって実施され得る。いくつかの態様では、プロセス１１５０は局によって実施され得る。いくつかの態様では、プロセス１１５０はアクセスポイントによって実施され得る。いくつかの態様では、プロセス１１５０はリレーによって実施され得る。
【０１６０】
[00182]ブロック１１５５で、ワイヤレスネットワークからメッセージが受信される。ブロック１１６０で、第１の表示を含むメッセージが受信される。第１の表示は、受信メッセージが第２の表示を含むかどうかを示す。第２の表示は、送信メッセージの受信が、バースト性干渉によって引き起こされたエラーを含んでいたかどうかを示す。一態様では、送信メッセージ中の第１の表示は、受信メッセージが第２の表示を含まないことを表示する。別の態様において、第１の表示は、メッセージが第２の表示を含むことを示す。
【０１６１】
[00183]いくつかの態様において、受信メッセージはブロック肯定応答である。これらの態様のうちのいくつかでは、送信メッセージの受信が、バースト性干渉によって引き起こされたエラーを含んでいたかどうかについての情報を受信メッセージが含むかどうかの表示は、ブロック肯定応答中の１つまたは複数の複数の予約されたビットによって示される。送信メッセージの受信が、バースト性干渉によって引き起こされたエラーを含んでいたかどうかの表示を受信メッセージが含む場合、この表示も、ブロック肯定応答の１つまたは複数の複数の予約されたビットによって示され得る。言い換えると、上で論じた第１および／または第２の表示の両方が、ブロック肯定応答メッセージの１つまたは複数の複数の予約されたビット中に含まれ得る。
【０１６２】
[00184]いくつかの態様において、受信メッセージは、単一のＭＰＤＵについての否定応答である。いくつかの態様において、受信メッセージ中のマルチキャスト受信機アドレスフィールドは、バースト性干渉によって引き起こされたエラーを示す。いくつかの他の態様では、フレーム制御フィールドのタイプおよび／またはサブタイプフィールドが、否定応答を示し得る。メッセージはその場合、送信メッセージの受信が、バースト性干渉によって引き起こされたエラーを含んでいたかどうかを示す追加フィールドを含み得る。
【０１６３】
[00185]いくつかの態様において、表示は、バースト性干渉によって引き起こされたエラーの数量を示す。たとえば、いくつかの態様において、受信メッセージは、２進形で、送信メッセージの受信中に起きたバースト性エラーの数を符号化するフィールドを含み得る。他の実施形態では、受信メッセージは、数量のより粗い表示を含み得る。たとえば、メッセージは、送信メッセージの受信中に検出されたバースト性エラーの数を、定数で除算したものを示し得る。たとえば、１〜１０個のエラーは、１の符号化値で示すことができ、１１〜２０個のエラーは、受信メッセージ中で２の符号化値で示すことができる。別の態様では、受信メッセージは、バースト性エラーが検出されなかったか、単一のバースト性エラーが検出されたか、それとも複数のバースト性エラーが検出されたかを示し得る。
【０１６４】
[00186]いくつかの態様において、方法は、表示に基づいて送信パラメータを修正することをさらに備える。たとえば、いくつかの態様において、ワイヤレスネットワーク上でのメッセージの送信は、表示に応答して繰り返されてよい。いくつかの態様において、重複メッセージを送信するとき、ラプターコードが使われ得る。いくつかの態様において、ワイヤレスネットワーク上でのメッセージの送信は、表示に基づいて延期されてよい。たとえば、すべての送信の送信は、バックオフアルゴリズムの使用により延期され得る。いくつかの態様において、受信メッセージを送信する、ワイヤレスノードへのメッセージの送信が延期され得る。たとえば、ノードを宛先とするメッセージの送信優先度は、他のワイヤレスノードに宛てられたメッセージの送信優先度に対して低減され得る。
【０１６５】
[00187]図１２は、基本ブロックＡＣＫフレーム１２００の一例を示す。図示するように、基本ブロックＡＣＫフレームは、２オクテットを備えるフレーム制御フィールド１２０５と、２オクテットを備える持続時間フィールド１２１０と、６オクテットを備える受信機アドレスフィールド１２１５と、６オクテットを備える送信機アドレスフィールド１２２０と、２オクテットを備えるブロックＡＣＫ制御フィールド１２２５と、２オクテットを備える開始シーケンス制御フィールド１２３０と、８または１２８オクテットを備えるブロックＡＣＫビットマップ１２３５と、４オクテットを備えるフレーム検査シーケンスフィールド１２４０とを含む。さらに、ブロックＡＣＫ制御フィールド１２２５は、ブロックＡＣＫポリシーサブフィールド１２５２と、マルチトラフィック識別子（ＴＩＤ）サブフィールド１２５４と、圧縮ビットマップサブフィールド１２５６と、予約済みサブフィールド１２５８と、ＴＩＤ／ＮｕｍＴＩＤｓサブフィールド１２５９とを備える。開始シーケンス制御フィールド１２３０は、予約済みサブフィールド１２６２と開始シーケンス番号サブフィールド１２６４とを備える。したがって、ブロックＡＣＫフレーム１２００は、３２バイトまたは１５２バイト長であり得る。
【０１６６】
[00188]本明細書で開示するいくつかの態様において、ブロックＡＣＫフレーム１２００の１つまたは複数のフィールドは、受信メッセージが、バースト性干渉によって引き起こされたエラーを含んでいたかどうかを示すことができる。たとえば、いくつかの態様において、上のブロック１０１０または１０６０で送信されたメッセージは、ブロックＡＣＫフレーム１２００のフォーマットに準拠し得る。いくつかの態様において、プロセス１１００のブロック１１１０またはプロセス１１５０のブロック１１６０で受信されたメッセージは、ブロックＡＣＫフレーム１２００のフォーマットに準拠し得る。いくつかの態様において、予約済みフィールド１２５８の１つまたは複数のビットは、受信メッセージがバースト性干渉によって引き起こされたエラーを含んでいたかどうかを示し得る。たとえば、いくつかの態様では、予約済みフィールドの１ビットが表示を与え得る。ビットの１つの値は、ブロック肯定応答フレームによって確認されたＭＰＤＵのうちの少なくともいくつかが、バースト性干渉によって引き起こされたエラーを含んでいたことを示し得る。ビットの他の値は、バースト性干渉エラーが検出されなかったことを示し得る。別の態様では、予約済みフィールド１２５８の２ビットが、バースト性干渉の表示を与え得る。たとえば、一態様では、ビットには、以下のテーブル１に示すように表示が割り当てられ得る。いくつかの他の態様では、ノードがバースト性干渉についての何らかの情報を含んでいるかどうかを示すのに、より多くのビットが使われてよい。いくつかの他の態様では、関連付け中にセットされた能力ビットが、バースト性干渉を示すメッセージをノードが送信するかどうかを示すのに使われ得る。
【０１６７】
[00189]
【表１】
2018074600.tif 000003
【０１６８】
[00190]図１３は、メディアアクセス制御（ＭＡＣ）フレーム１３００の例示的な構造を示す。図示されるように、ＭＡＣフレーム１３００は、フレーム制御（ｆｃ）フィールド１３１０、持続時間／識別（ｄｕｒ）フィールド１３２５、受信機アドレス（ａ１）フィールド１３３０、送信機アドレス（ａ２）フィールド１３３５、宛先アドレス（ａ３）フィールド１３４０、シーケンス制御（ｓｃ）フィールド１３４５、第４のアドレス（ａ４）フィールド１３５０、サービス品質（ＱｏＳ）制御（ｑｃ）フィールド１３５５、高スループット（ＨＴ）制御フィールド１３６０、フレーム本体１３６５、およびフレーム確認シーケンス（ＦＣＳ）フィールド１３７０という、１１個の異なるフィールドを含む。フィールド１３１０〜１３６０は、ＭＡＣヘッダ１３０２を構成する。
【０１６９】
[00191]メディアアクセス制御フレームのフィールドの各々は、メディアアクセス制御パラメータと見なされ得る。さらに、各フィールドは、１つまたは複数のサブフィールドまたはフィールドからなり得る。たとえば、メディアアクセス制御ヘッダ１３０２のフレーム制御フィールド１３１０は、プロトコルバージョン、タイプフィールド、サブタイプフィールド、および、図１４に関して以下で論じられる他のフィールドのような、複数のサブフィールドからなり得る。これらのサブフィールドまたはフィールドの各々も、メディアアクセス制御パラメータと見なされ得る。いくつかの実施形態では、メディアアクセス制御フレームの個々のビットが、メディアアクセス制御パラメータと見なされ得る。
【０１７０】
[00192]ａ１、ａ２、ａ３、およびａ４フィールド１３３０、１３３５、１３４０、および１３５０の各々は、４８ビット（６オクテット）値である、デバイスのフルＭＡＣアドレスを備える。図１３は、さらに、フィールド１３１０〜１３７０の各々のオクテット単位のサイズを示している。フレーム本体フィールド１３６５は、可変数のオクテット（たとえば、０〜７９５１）を備える。フィールドサイズのすべての値を合計すると、ＭＡＣヘッダ１３０２の全体的なサイズが得られ、それは３８オクテットである。所与のパケットの総サイズは２００オクテット程度であり得る。
【０１７１】
[00193]異なるタイプのＭＡＣフレームは、図１３に示すフィールドの一部分のみを含み得る。たとえば、ＭＡＣフレームが制御フレームである場合、ＭＡＣフレームは、ＱｏＳ制御フィールド１３５５もＨＴ制御フィールド１３６０も含まなくてよい。さらに、タイプによっては、ＭＡＣフレーム１３００は追加フィールドを含み得る。ただし、いくつかの場合には、タイプにかかわらず、ＭＡＣフレーム１３００はフレーム制御フィールド１３１０を含み得る。
【０１７２】
[00194]図１４は、図１３に示すＭＡＣヘッダ１３０２のフレーム制御フィールド１３１０の例示的な構造を示す。図示されるように、フレーム制御フィールド１３１０は、プロトコルバージョンフィールド１４１１と、タイプフィールド１４１２と、サブタイプフィールド１４１３と、Ｔｏ  ＤＳフィールド１４１４と、ｆｒｏｍ  ＤＳフィールド１４１５と、ｍｏｒｅ  ｆｒａｇｍｅｎｔｓフィールド１４１６と、再試行フィールド１４１７と、電力管理フィールド１４１８と、ｍｏｒｅ  ｄａｔａフィールド１４１９と、保護フレームフィールド１４２０と、順序フィールド１４２１とを含む。ＭＡＣフレーム１３００のタイプは、タイプフィールド１４１２とサブタイプフィールド１４１３との組合せによって定義され得る。たとえば、管理フレームに対して、タイプフィールド１４１２は００というバイナリ値を有し得る。サブタイプフィールド１４１３は次いで、１６個の異なる管理フィールドのタイプを提供する４ビット値を伴う、管理フィールドのタイプを示し得る。別の例として、ＭＡＣフレーム１３００のタイプは、０１というバイナリ値を伴うタイプフィールド１４１２によって示される制御フレームであり得る。サブタイプフィールド１４１３はさらに、ブロック肯定応答要求フレーム、ブロック肯定応答フレーム、ＰＳポーリングフレーム、送信要求（ＲＴＳ：request to send）フィールド、送信可（ＣＴＳ：clear to send）フィールドなどのような、異なるタイプの制御フィールドを示し得る。
【０１７３】
[00195]いくつかの場合では、異なる使用法／目的のために、新たなタイプおよびフォーマットのＭＡＣフレームを定義することが有利であり得る。たとえば、ワイヤレスネットワーク上でのバースト性干渉の表示を与えるための追加フレームタイプを定義することが有益であり得る。一態様では、タイプフィールド１４１２中の１（０ｘ０１）の値は、制御フレームを示し得る。いくつかの態様において、タイプフィールド１４１２が制御フレームを示すとき、サブタイプフィールド１４１３の値は否定応答を示し得る。これらの態様のうちのいくつかでは、フィールド１３３０〜１３６０のうちの１つまたは複数は、ＭＡＣヘッダ１３０２中に含まれない場合がある。そうではなく、バースト性干渉の存在またはその欠如を示す他のフィールドが含まれ得る。
【０１７４】
[00196]図１５は、メディアアクセス制御（ＭＡＣ）フレーム１５００の例示的な構造を示す。上で論じたＭＡＣフレーム１３００と同様、ＭＡＣフレーム１５００は、フレーム制御フィールド１５１０内にタイプフィールドとサブタイプフィールドとを含み得る。いくつかの態様において、タイプフィールドとサブタイプフィールドの値の１つまたは複数の組合せが、フィールド１５３０の存在を示し得る。これらの組合せのうちのいくつかは、単一のＭＰＤＵの否定応答も示し得る。いくつかの態様において、フィールド１５３０は、図１０Ａ、図１０Ｂ、図１１Ａ、および図１１Ｂを参照して上述したように、受信ＭＰＤＵが、バースト性干渉によって引き起こされたエラーを含むかどうかの表示を与える。図１５は、バースト性エラー表示フィールド１５３０が６オクテットの長さであることを示すが、長さは実施形態によって変わり得る。たとえば、いくつかの態様において、バースト性エラー表示フィールド１５３０の長さは、１、２、３、４、５、６、７、または８ビットの長さであり得る。いくつかの他の態様では、バースト性エラー表示フィールド１５３０の長さは、１、２、３、４、５、６、７、８、９、または１０バイトの長さであり得る。
【０１７５】
[00197]図１６は、メディアアクセス制御（ＭＡＣ）フレーム１６００の例示的な構造を表示する。いくつかの態様において、図１１Ａのブロック１１１０または図１１Ｂの１１６０で受信されるメッセージは、ＭＡＣフレーム１１００によって記述されるフォーマットであってよい。いくつかの態様において、図１０Ａのブロック１０１０または図１０Ｂのブロック１０６０で送信されるメッセージは、ＭＡＣフレーム１６００によって記述されるフォーマットであってよい。いくつかの態様において、フレーム制御フィールド１６１０のタイプ／サブタイプフィールドは肯定応答フレームを示し得る。いくつかの態様において、受信機アドレスフィールド１６３０は、ワイヤレスメッセージが受信されたときにバースト性干渉が存在したかどうかを示し得る。たとえば、図示するように、受信機アドレスフィールド１６３０内のビット１６５１は、受信ワイヤレスメッセージ中の１つまたは複数のエラーが、バースト性干渉によって引き起こされたかどうかを示し得る。いくつかの態様において、１の値は、受信メッセージが、バースト性干渉によって引き起こされたエラーを含んでいたことを示す。
【０１７６】
[00198]図１７は、ワイヤレス通信システム１００、１０１、または１５０内で採用され得る機能ブロック図、例示的なワイヤレスデバイス１７００である。ワイヤレス通信デバイス１７００が、図２〜図４に示されたワイヤレス通信デバイスよりも多いまたは少ない構成要素を有し得ることを、当業者ならば諒解するであろう。デバイス１７００は、データをワイヤレス受信するための受信モジュール１７０６を備える。受信モジュール１７０６は、図１０Ａに示したブロック１００５または図１０Ｂのブロック１０５５に関して上記で説明した機能のうちの１つまたは複数を実施するように構成され得る。受信モジュール１７０６は、受信機２１２に対応し得、増幅器４０１を含み得る。いくつかの場合には、受信するための手段は受信モジュール１７０６を含み得る。デバイス１７００は送信モジュール１７０４をさらに備える。送信モジュール１７０４は、図１０Ａのブロック１０１０または図１０Ｂのブロック１０６０に関して上記で説明した機能のうちの１つまたは複数を実施するように構成され得る。いくつかの態様では、送信するための手段は送信モジュール１７０４を備える。送信モジュール１７０４は、限定はしないが、コンスタレーションマッパー、変調器、ＩＤＦＴ（図３に関して上記で説明した逆離散時間フーリエ変換モジュールまたはＩＦＦＴ３０４）、デジタルアナログ変換器、増幅器、アンテナおよび他の構成要素を含む、様々な構成要素を含み得る。デバイス１７００は、バースト性エラー検出モジュール１７０２をさらに備え得る。バースト性エラー検出モジュール１７０２は、図１０Ａまたは図１０Ｂを参照して上述したように、バースト性干渉によって引き起こされた１つまたは複数のエラーを検出するように構成され得る。たとえば、いくつかの態様において、バースト性エラー検出モジュール１７０２は、ブロック１００８および／または１０５８を参照して上で論じた機能のうちの１つまたは複数を実施するように構成され得る。いくつかの態様において、バースト性エラー検出モジュール１７０２はプロセッサ２０４を備え得る。いくつかの場合には、バースト性干渉を検出するための手段が、バースト性エラー検出モジュール１７０２を備える。デバイス１７００のいくつかの実装形態は、バースト性エラー検出モジュール１７０２を含まない場合がある。
【０１７７】
[00199]図１８は、ワイヤレス通信システム１００、１０１、または１５０内で採用され得る機能ブロック図、例示的なワイヤレスデバイス１８００である。ワイヤレス通信デバイス１８００が、図２〜図４に示されたワイヤレス通信デバイスよりも多いまたは少ない構成要素を有し得ることを、当業者ならば諒解するであろう。デバイス１８００は、データをワイヤレス受信するための受信モジュール１８０２を備える。受信モジュール１８０２は、図１１Ａに示したブロック１１１０または図１１Ｂのブロック１１６０に関して上記で説明した機能のうちの１つまたは複数を実施するように構成され得る。受信モジュール１８０２は、受信機２１２に対応し得、増幅器４０１を含み得る。いくつかの場合には、受信するための手段は受信モジュール１８０２を含み得る。デバイス１８００は送信モジュール１８０４をさらに備える。送信モジュール１８０４は、図１１Ａのブロック１１０５または図１１Ｂのブロック１１５５に関して上記で説明した機能のうちの１つまたは複数を実施するように構成され得る。いくつかの場合には、送信するための手段は送信モジュール１８０４を備える。送信モジュール１８０４は、限定はしないが、コンスタレーションマッパー、変調器、ＩＤＦＴ（図３に関して上記で説明した逆離散時間フーリエ変換モジュールまたはＩＦＦＴ３０４）、デジタルアナログ変換器、増幅器、アンテナおよび他の構成要素を含む、様々な構成要素を含み得る。デバイス１８００は、送信パラメータ適合モジュール１８０４をさらに備え得る。送信パラメータ適合モジュール１８０４は、図１１Ａのプロセス１１００または図１１Ｂのプロセス１１５０を参照して上述したように、バースト性干渉の表示に基づいて、デバイス１８００の送信パラメータを適合させるように構成され得る。いくつかの態様において、送信パラメータ適合モジュール１８０４はプロセッサ２０４を備え得る。いくつかの場合には、送信パラメータを適合させるための手段が、送信パラメータ適合モジュール１８０４を備える。
【０１７８】
[00200]本明細書で使用する「判断」という用語は、多種多様なアクションを包含する。たとえば、「判断」は、算出、計算、処理、導出、調査、探索（たとえば、テーブル、データベース、または別のデータ構造での探索）、確認などを含み得る。また、「判断すること」は、受信すること（たとえば、情報を受信すること）、アクセスすること（たとえば、メモリ中のデータにアクセスすること）などを含み得る。また、「判断すること」は、解決すること、選択すること、選定すること、確立することなどを含み得る。さらに、本明細書で使用する「チャネル幅」は、いくつかの態様では帯域幅を包含する場合があるか、または帯域幅と呼ばれる場合もある。
【０１７９】
[00201]本明細書で使用する、項目のリスト「のうちの少なくとも１つ」を指すフレーズは、単一のメンバを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０１８０】
[00202]上記で説明した方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示すいずれの動作も、その動作を実施することが可能な対応する機能的手段によって実施され得る。
【０１８１】
[00203]本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書に記載された機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１８２】
[00204]１つまたは複数の態様では、記載された機能は、ハードウェア、ソフトウェア、ファームウェア、またはそれらの任意の組合せで実装され得る。ソフトウェアに実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得、コンピュータによってアクセスされ得る、任意の他の媒体を備えることができる。また、いかなる接続もコンピュータ可読媒体と適切に呼ばれる。たとえば、ソフトウェアが同軸ケーブル、光ファイバーケーブル、ツイストペア、デジタル加入者線（「ＤＳＬ」）、または赤外線、無線、およびマイクロ波などのワイヤレス技術を使用して、ウェブサイト、サーバ、または他の遠隔ソースから送信される場合、その同軸ケーブル、光ファイバーケーブル、ツイストペア、ＤＳＬ、または赤外線、無線、およびマイクロ波などのワイヤレス技術が媒体の定義に含められる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、通常はディスク（disk）が磁気的にデータを再生し、ディスク（disc）がレーザーによって光学的にデータを再生する。したがって、いくつかの態様では、コンピュータ可読媒体は、非一時的コンピュータ可読媒体（たとえば、有形媒体）を備える場合がある。加えて、いくつかの態様では、コンピュータ可読媒体は、一時的コンピュータ可読媒体（たとえば、信号）を備える場合がある。上記の組合せもコンピュータ可読媒体の範囲内に含まれるべきである。
【０１８３】
[00205]本明細書で開示された方法は、記載された方法を達成するための１つまたは複数のステップまたはアクションを備える。方法のステップおよび／またはアクションは、特許請求の範囲から逸脱することなく互いに交換され得る。言い換えれば、ステップまたはアクションの具体的な順序が指定されない限り、具体的なステップおよび／またはアクションの順序および／または使用は、特許請求の範囲から逸脱することなく修正され得る。
【０１８４】
[00206]記載された機能は、ハードウェア、ソフトウェア、ファームウェア、またはそれらの任意の組合せに実装され得る。ソフトウェアに実装される場合、機能は１つまたは複数の命令としてコンピュータ可読媒体上に記憶され得る。記憶媒体は、コンピュータによってアクセスできる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【０１８５】
[00207]したがって、いくつかの態様は、本明細書で提示する動作を実施するためのコンピュータプログラム製品を備え得る。たとえば、そのようなコンピュータプログラム製品は、本明細書で説明する動作を実施するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１８６】
[00208]ソフトウェアまたは命令はまた、送信媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【０１８７】
[00209]さらに、本明細書で説明する方法および技法を実施するためのモジュールおよび／または他の適切な方法は、適用可能な場合、ユーザ端末および／または基地局によってダウンロードされ得、および／または場合によっては取得され得ることを諒解されたい。たとえば、そのようなデバイスは、本明細書で説明する方法を実施するための手段の転送を容易にするために、サーバに結合することができる。代替的に、本明細書で説明した様々な方法を記憶手段（たとえば、ＲＡＭ、ＲＯＭ、コンパクトディスク（ＣＤ）またはフロッピーディスクなどの物理的記憶媒体など）によって提供することができ、それにより、ユーザ端末および／または基地局は、その記憶手段をデバイスに結合または提供すると、それらの様々な方法を取得することができる。さらに、本明細書で説明する方法および技法をデバイスに提供するための任意の他の適切な技法を利用し得る。
【０１８８】
[00210]特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
【０１８９】
[00211]上記は本開示の態様を対象とするが、本開示の他の態様およびさらなる態様は、それらの基本的な範囲から逸脱することなく考案することができ、それらの範囲は、以下の特許請求の範囲によって決定される。
【図１Ａ】
2018074600.tif 000004
【図１Ｂ】
2018074600.tif 000005
【図２】
2018074600.tif 000006
【図３】
2018074600.tif 000007
【図４】
2018074600.tif 000008
【図５Ａ】
2018074600.tif 000009
【図５Ｂ】
2018074600.tif 000010
【図６Ａ】
2018074600.tif 000011
【図６Ｂ】
2018074600.tif 000012
【図７】
2018074600.tif 000013
【図８】
2018074600.tif 000014
【図９】
2018074600.tif 000015
【図１０Ａ】
2018074600.tif 000016
【図１０Ｂ】
2018074600.tif 000017
【図１１Ａ】
2018074600.tif 000018
【図１１Ｂ】
2018074600.tif 000019
【図１２】
2018074600.tif 000020
【図１３】
2018074600.tif 000021
【図１４】
2018074600.tif 000022
【図１５】
2018074600.tif 000023
【図１６】
2018074600.tif 000024
【図１７】
2018074600.tif 000025
【図１８】
2018074600.tif 000026
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ワイヤレスネットワーク上でのバースト性干渉の存在をシグナリングする方法であって、
前記ワイヤレスネットワークからメッセージを受信することと、
前記メッセージが、バースト性干渉によって引き起こされたエラーを含むかどうかを判断することと、ここにおいて、前記判断することは、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、を備える、
ブロック肯定応答メッセージを送信することと、前記ブロック肯定応答メッセージは、前記受信メッセージが、バースト性干渉によって引き起こされたエラーを含んでいるかどうかを示す、
を備える方法。
【請求項２】
ワイヤレスネットワーク上でのバースト性干渉の存在をシグナリングするための装置であって、
前記ワイヤレスネットワークからメッセージを受信するように構成された受信機と、
前記メッセージが、バースト性干渉によって引き起こされたエラーを含むかどうかを判断するように構成されたプロセッサと、ここにおいて、前記判断することは、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、を備える、
ブロック肯定応答メッセージを送信するように構成された送信機と、前記ブロック肯定応答メッセージは、前記受信メッセージが、バースト性干渉によって引き起こされたエラーを含んでいたかどうかを示す、
を備える装置。
【請求項３】
ワイヤレスネットワーク上でのバースト性干渉の存在をシグナリングするための装置であって、
前記ワイヤレスネットワークからメッセージを受信するための手段と、
前記メッセージが、バースト性干渉によって引き起こされたエラーを含むかどうかを判断するための手段と、ここにおいて、前記判断するための手段は、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、を備える、
ブロック肯定応答メッセージを送信するための手段と、前記ブロック肯定応答メッセージは、前記受信メッセージが、バースト性干渉によって引き起こされたエラーを含んでいたかどうかを示す、
を備える、装置。
【請求項４】
プロセッサによって実行されるとき、前記プロセッサに、ワイヤレスネットワーク上でのバースト性干渉の存在をシグナリングする方法を実施させる命令を備えるコンピュータ可読記憶媒体であって、前記方法は、
前記ワイヤレスネットワークからメッセージを受信することと、
前記メッセージが、バースト性干渉によって引き起こされたエラーを含む
かどうか判断することと、ここにおいて、前記判断することは、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、を備える、
ブロック肯定応答メッセージを送信することと、前記ブロック肯定応答メッセージは、前記受信メッセージが、バースト性干渉によって引き起こされたエラーを含んでいたかどうかを示す、
を備える、コンピュータ可読記憶媒体。
【請求項５】
パケット検出が、プリアンブル検出およびガード間隔検出のうちの１つまたは複数を備える、請求項４に記載のコンピュータ可読記憶媒体。
【手続補正２】
【補正対象書類名】明細書
【補正対象項目名】０１８９
【補正方法】変更
【補正の内容】
【０１８９】
[00211]上記は本開示の態様を対象とするが、本開示の他の態様およびさらなる態様は、それらの基本的な範囲から逸脱することなく考案することができ、それらの範囲は、以下の特許請求の範囲によって決定される。
以下に、本願の出願当初の特許請求の範囲に記載された発明を付記する。
［Ｃ１］
ワイヤレスネットワーク上でのバースト性干渉の存在をシグナリングする方法であって、
前記ワイヤレスネットワークからメッセージを受信することと、
前記メッセージが、バースト性干渉によって引き起こされたエラーを含むかどうか判断することと、
ブロック肯定応答メッセージを送信することと、前記ブロック肯定応答メッセージは、前記受信メッセージが、バースト性干渉によって引き起こされたエラーを含んでいたかどうかを示す、
を備える方法。
［Ｃ２］
前記判断することは、
パイロットチャネルについての周波数オフセットおよび／または位相を追跡することと、
前記追跡された周波数オフセットおよび／または位相に基づいて、データチャネルに複数の訂正を適用することと、
前記追跡された周波数オフセットおよび／または位相に基づいて、バースト性干渉を検出することと、
を備える、Ｃ１に記載の方法。
［Ｃ３］
前記追跡された周波数オフセットおよび／または位相に基づいてバースト性干渉を前記検出することは、少なくとも１つのオフセットを閾値オフセットと比較することを備える、Ｃ２に記載の方法。
［Ｃ４］
前記判断することは、
前記メッセージについてのエラーおよび強度基準を追跡することと、および
前記エラーおよび強度基準に基づいてバースト性干渉を検出することとを備える、Ｃ１に記載の方法。
［Ｃ５］
前記エラーおよび強度基準に基づいてバースト性干渉を検出することは、前記エラーおよび強度基準の間の比を算出することと、前記比を閾値と比較することとを備える、Ｃ４に記載の方法。
［Ｃ６］
前記エラー基準は受信エラーベクトルの大きさ（ＥＶＭ）を備え、前記強度基準は、受信信号強度インジケータ（ＲＳＳＩ）からノイズフロアを差し引いたものを備える、Ｃ４に記載の方法。
［Ｃ７］
前記判断することは、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、
を備える、Ｃ１に記載の方法。
［Ｃ８］
バースト性干渉が検出されるとき、チャネル追跡を中断することをさらに備える、Ｃ１に記載の方法。
［Ｃ９］
前記表示は、前記ブロック肯定応答中の１つまたは複数の予約されたビットによって示される、Ｃ１に記載の方法。
［Ｃ１０］
前記表示は、前記受信メッセージ中での、バースト性干渉によって引き起こされたエラーの数量を示す、Ｃ１に記載の方法。
［Ｃ１１］
ワイヤレスネットワーク上でのバースト性干渉の存在をシグナリングするための装置であって、
前記ワイヤレスネットワークからメッセージを受信するように構成された受信機と、
前記メッセージが、バースト性干渉によって引き起こされたエラーを含むかどうか判断するように構成されたプロセッサと、
ブロック肯定応答メッセージを送信するように構成された送信機と、前記ブロック肯定応答メッセージは、前記受信メッセージが、バースト性干渉によって引き起こされたエラーを含んでいたかどうかを示す、を備える上記装置。
［Ｃ１２］
前記判断することが、
パイロットチャネルについての周波数オフセットおよび／または位相を追跡することと、
前記追跡された周波数オフセットおよび／または位相に基づいて、データチャネルに訂正を適用することと、
前記追跡された周波数オフセットおよび／または位相に基づいて、バースト性干渉を検出することとを備える、Ｃ１１に記載の装置。
［Ｃ１３］
前記追跡された周波数オフセットおよび／または位相に基づいてバースト性干渉を前記検出することは、少なくとも１つのオフセットを閾値オフセットと比較することを備える、Ｃ１２に記載の装置。
［Ｃ１４］
前記判断することは、
前記メッセージについてのエラーおよび強度基準を追跡することと、
前記エラーおよび強度基準に基づいてバースト性干渉を検出することとを備える、Ｃ１１に記載の装置。
［Ｃ１５］
前記エラーおよび強度基準に基づいてバースト性干渉を検出することは、前記エラーおよび強度基準の間の比を算出することと、および前記比を閾値と比較することとを備える、Ｃ１４に記載の装置。
［Ｃ１６］
前記エラー基準は受信エラーベクトルの大きさ（ＥＶＭ）を備え、および前記強度基準は、受信信号強度インジケータ（ＲＳＳＩ）からノイズフロアを差し引いたものを備える、Ｃ１４に記載の装置。
［Ｃ１７］
前記判断することが、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することと、
を備える、Ｃ１１に記載の装置。
［Ｃ１８］
バースト性干渉が検出されるとき、チャネル追跡を中断するように構成されたプロセッサをさらに備える、Ｃ１１に記載の装置。
［Ｃ１９］
前記表示は、前記ブロック肯定応答中の１つまたは複数の予約されたビットによって示される、Ｃ１１に記載の装置。
［Ｃ２０］
前記表示は、前記受信メッセージ中での、バースト性干渉によって引き起こされたエラーの数量を示す、Ｃ１１に記載の装置。
［Ｃ２１］
ワイヤレスネットワーク上でのバースト性干渉の存在をシグナリングするための装置であって、
前記ワイヤレスネットワークからメッセージを受信するための手段と、
前記メッセージが、バースト性干渉によって引き起こされたエラーを含むかどうか判断するための手段と、
ブロック肯定応答メッセージを送信するための手段と、前記ブロック肯定応答メッセージは、前記受信メッセージが、バースト性干渉によって引き起こされたエラーを含んでいたかどうかを示す、を備える装置。
［Ｃ２２］
判断するための前記手段が、
パイロットチャネルについての周波数オフセットおよび／または位相を追跡し、
前記追跡された周波数オフセットおよび／または位相に基づいて、データチャネルに訂正を適用し、
前記追跡された周波数オフセットおよび／または位相に基づいて、バースト性干渉を検出するように構成される、Ｃ２１に記載の装置。
［Ｃ２３］
前記追跡された周波数オフセットおよび／または位相に基づいてバースト性干渉を前記検出することは、少なくとも１つのオフセットを閾値オフセットと比較することを備える、Ｃ２２に記載の装置。
［Ｃ２４］
判断するための前記手段が、
前記メッセージについてのエラーおよび強度基準を追跡し、
前記エラーおよび強度基準に基づいてバースト性干渉を検出する、ように構成される、Ｃ２１に記載の装置。
［Ｃ２５］
前記エラーおよび強度基準に基づいてバースト性干渉を検出することが、前記エラーおよび強度基準の間の比を算出することと、前記比を閾値と比較することとを備える、Ｃ２４に記載の装置。
［Ｃ２６］
前記エラー基準は受信エラーベクトルの大きさ（ＥＶＭ）を備え、および前記強度基準は、受信信号強度インジケータ（ＲＳＳＩ）からノイズフロアを差し引いたものを備える、Ｃ２４に記載の装置。
［Ｃ２７］
前記判断することが、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することとを備える、Ｃ２１に記載の装置。
［Ｃ２８］
バースト性干渉が検出されるとき、チャネル追跡を中断するための手段を、さらに備える、Ｃ２１に記載の装置。
［Ｃ２９］
前記表示は、前記ブロック肯定応答中の１つまたは複数の予約済みビットによって示される、Ｃ２２に記載の装置。
［Ｃ３０］
前記表示は、前記受信メッセージ中でのバースト性干渉によって引き起こされたエラーの数量を示す、Ｃ２１に記載の装置。
［Ｃ３１］
前記送信メッセージのメディアアクセス制御ヘッダのタイプおよびサブタイプが、肯定応答メッセージを示す、Ｃ２１に記載の装置。
［Ｃ３２］
プロセッサによって実行されるとき、前記プロセッサに、ワイヤレスネットワーク上でのバースト性干渉の存在をシグナリングする方法を実施させる命令を備えるコンピュータ可読記憶媒体であって、前記方法は、
前記ワイヤレスネットワークからメッセージを受信することと、
前記メッセージが、バースト性干渉によって引き起こされたエラーを含むかどうか判断することと、
ブロック肯定応答メッセージを送信することと、前記ブロック肯定応答メッセージは、前記受信メッセージが、バースト性干渉によって引き起こされたエラーを含んでいたかどうかを示す、を備える、コンピュータ可読記憶媒体。
［Ｃ３３］
前記判断することが、
パイロットチャネルについての周波数オフセットおよび／または位相を追跡することと、
前記追跡された周波数オフセットおよび／または位相に基づいて、データチャネルに訂正を適用することと、
前記追跡された周波数オフセットおよび／または位相に基づいて、バースト性干渉を検出することとを備える、
Ｃ３２に記載のコンピュータ可読記憶媒体。
［Ｃ３４］
前記追跡された周波数オフセットおよび／または位相に基づいてバースト性干渉を前記検出することは、少なくとも１つのオフセットを閾値オフセットと比較することを備える、Ｃ３３に記載のコンピュータ可読記憶媒体。
［Ｃ３５］
前記判断することが、
前記メッセージについてのエラーおよび強度基準を追跡することと、
前記エラーおよび強度基準に基づいてバースト性干渉を検出することとを備える、
Ｃ３２に記載のコンピュータ可読記憶媒体。
［Ｃ３６］
前記エラーおよび強度基準に基づいてバースト性干渉を検出することが、前記エラーおよび強度基準の間の比を算出することと、前記比を閾値と比較することとを備える、Ｃ３５に記載のコンピュータ可読記憶媒体。
［Ｃ３７］
前記エラー基準は受信エラーベクトルの大きさ（ＥＶＭ）を備え、前記強度基準は、受信信号強度インジケータ（ＲＳＳＩ）からノイズフロアを差し引いたものを備える、Ｃ３５に記載のコンピュータ可読記憶媒体。
［Ｃ３８］
前記判断することが、
前記メッセージを復号することと、
前記復号されたメッセージを再変調することと、
オリジナルの受信メッセージから前記再変調されたメッセージをキャンセルすることと、
前記キャンセルから生じた残差信号に対してパケット検出を実施することとを備える、Ｃ３２に記載のコンピュータ可読記憶媒体。
［Ｃ３９］
パケット検出が、プリアンブル検出およびガード間隔検出のうちの１つまたは複数を備える、Ｃ３８に記載のコンピュータ可読記憶媒体。
［Ｃ４０］
前記方法が、バースト性干渉が検出されるとき、チャネル追跡を中断することをさらに備える、Ｃ３２に記載のコンピュータ可読記憶媒体。
［Ｃ４１］
前記表示が、前記ブロック肯定応答中の１つまたは複数の予約されたビットによって示される、Ｃ３３に記載のコンピュータ可読記憶媒体。
［Ｃ４２］
前記表示が、前記受信メッセージ中での、バースト性干渉によって引き起こされたエラーの数量を示す、Ｃ３３に記載のコンピュータ可読記憶媒体。
［Ｃ４３］
前記送信メッセージのメディアアクセス制御ヘッダのタイプおよびサブタイプが、肯定応答メッセージを示す、Ｃ３２に記載のコンピュータ可読記憶媒体。
［Ｃ４４］
ワイヤレスネットワーク上でのバースト性干渉の存在をシグナリングする方法であって、
前記ワイヤレスネットワーク上でメッセージを送信することと、
前記送信メッセージの受信が、バースト性干渉によって引き起こされたエラーを含んでいたかどうかを示すブロック肯定応答メッセージを受信すること、
とを備える方法。
［Ｃ４５］
前記表示が、前記ブロック肯定応答中の１つまたは複数の予約されたビットによって示される、Ｃ４４に記載の方法。
［Ｃ４６］
前記表示が、バースト性干渉によって引き起こされたエラーの数量を示す、Ｃ４４に記載の方法。
［Ｃ４７］
前記表示に基づいて送信パラメータを修正することをさらに備える、Ｃ４４に記載の方法。
［Ｃ４８］
ワイヤレスネットワーク上でのバースト性干渉の存在をシグナリングするための装置であって、
前記ワイヤレスネットワーク上でメッセージを送信するように構成された送信機と、
ブロック肯定応答メッセージを受信するように構成された受信機と、前記ブロック肯定応答メッセージは、前記送信メッセージの受信が、バースト性干渉によって引き起こされたエラーを含んでいたかどうかを示す、
を備える上記装置。
［Ｃ４９］
前記表示は、前記ブロック肯定応答中の１つまたは複数の予約されたビットによって示される、Ｃ４８に記載の装置。
［Ｃ５０］
前記表示が、バースト性干渉によって引き起こされたエラーの数量を示す、Ｃ４８に記載の装置。
［Ｃ５１］
前記表示に基づいて、送信パラメータを修正するように構成されたプロセッサをさらに備える、Ｃ４８に記載の装置。
［Ｃ５２］
前記送信メッセージのメディアアクセス制御ヘッダのタイプおよびサブタイプが、肯定応答メッセージを示す、Ｃ４８に記載の装置。
［Ｃ５３］
ワイヤレスネットワーク上でのバースト性干渉の存在をシグナリングするための装置であって、
前記ワイヤレスネットワーク上でメッセージを送信するための手段と、
ブロック肯定応答メッセージを受信するための手段と、前記ブロック肯定応答メッセージは、前記送信メッセージの受信が、バースト性干渉によって引き起こされたエラーを含んでいたかどうかを示す、を備える上記装置。
［Ｃ５４］
前記表示が、前記ブロック肯定応答中の１つまたは複数の予約されたビットによって示される、Ｃ５３に記載の装置。
［Ｃ５５］
前記表示が、バースト性干渉によって引き起こされたエラーの数量を示す、Ｃ５３に記載の装置。
［Ｃ５６］
前記表示に基づいて、送信パラメータを修正するための手段をさらに備える、Ｃ５３に記載の装置。
［Ｃ５７］
前記送信メッセージのメディアアクセス制御ヘッダのタイプおよびサブタイプが、肯定応答メッセージを示す、Ｃ５３に記載の装置。、
［Ｃ５８］
ワイヤレスネットワーク上でのバースト性干渉の存在をシグナリングするための装置であって、
前記ワイヤレスネットワーク上でメッセージを送信するための手段と、
前記送信メッセージの受信が、バースト性干渉によって引き起こされたエラーを含んでいたかどうかを示すブロック肯定応答メッセージを受信するための手段と、
を備える上記装置。
［Ｃ５９］
前記表示が、前記ブロック肯定応答中の１つまたは複数の予約されたビットによって示される、Ｃ５８に記載の装置。
［Ｃ６０］
前記表示が、バースト性干渉によって引き起こされたエラーの数量を示す、Ｃ５８に記載の装置。
［Ｃ６１］
前記表示に基づいて、送信パラメータを修正するための手段をさらに備える、Ｃ５８に記載の装置。
［Ｃ６２］
前記送信メッセージのメディアアクセス制御ヘッダのタイプおよびサブタイプが、肯定応答メッセージを示す、Ｃ５８に記載の装置、
［Ｃ６３］
プロセッサによって実行されるとき、前記プロセッサに、ワイヤレスネットワーク上でのバースト性干渉の存在をシグナリングする方法を実施させる命令を備えるコンピュータ可読記憶媒体であって、前記方法は、
前記ワイヤレスネットワーク上でメッセージを送信することと、
ブロック肯定応答メッセージを受信することと、前記ブロック肯定応答メッセージは、前記送信メッセージの受信が、バースト性干渉によって引き起こされたエラーを含んでいたかどうかを示す、
を備えるコンピュータ可読記憶媒体。
［Ｃ６４］
前記表示が、前記ブロック肯定応答中の１つまたは複数の予約されたビットによって示される、Ｃ６３に記載のコンピュータ可読記憶媒体。
［Ｃ６５］
前記表示が、バースト性干渉によって引き起こされたエラーの数量を示す、Ｃ６３に記載のコンピュータ可読記憶媒体。
［Ｃ６６］
前記受信メッセージ中のマルチキャスト受信機アドレスフィールドが、バースト性干渉によって引き起こされたエラーを示す、Ｃ６３に記載のコンピュータ可読記憶媒体。
［Ｃ６７］
前記表示に基づいて送信パラメータを修正することをさらに備える、Ｃ６３に記載のコンピュータ可読記憶媒体。
［Ｃ６８］
前記送信メッセージのメディアアクセス制御ヘッダのタイプおよびサブタイプが、肯定応答メッセージを示す、Ｃ６３に記載のコンピュータ可読記憶媒体。
［Ｃ６９］
バースト性干渉についての情報がワイヤレス通信ネットワーク上でシグナリングされているかどうかを示す方法であって、
前記ワイヤレスネットワークからメッセージを受信することと、
メッセージを送信することと、前記メッセージは、前記送信されたメッセージが、バースト性干渉によって引き起こされたエラーを含んでいたかどうかの表示を含んでいるかどうか表示を示す、
を備える上記方法。
［Ｃ７０］
前記送信メッセージは、それが、前記受信メッセージはバースト性干渉によって引き起こされたエラーを含んでいたかどうか表示の表示を含まないことを示す、Ｃ６９に記載の方法。
［Ｃ７１］
前記送信メッセージがブロック肯定応答メッセージであり、予約されたフィールド中の１つまたは複数のビットは、前記メッセージが、前記受信メッセージはバースト性干渉によって引き起こされたエラーを含んでいたかどうかの表示を含んでいることを示す、Ｃ７０に記載の方法。
［Ｃ７２］
前記送信メッセージは、それが、前記受信メッセージはバースト性干渉によって引き起こされたエラーを含んでいたかどうかの表示を含むことを示す、Ｃ６９に記載の方法。
［Ｃ７３］
前記送信メッセージがブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、Ｃ６９に記載の方法。
［Ｃ７４］
バースト性干渉についての情報がワイヤレス通信ネットワーク上でシグナリングされているかどうかを示すための装置であって、
前記ワイヤレスネットワークからメッセージを受信するように構成された受信機と、
前記送信メッセージは、前記受信メッセージがバースト性干渉によって引き起こされたエラーを含んでいたかどうかの表示を含むかどうかを示すメッセージを送信するように構成された送信機と、
を備える上記装置。
［Ｃ７５］
前記送信メッセージは、それが、前記受信メッセージはバースト性干渉によって引き起こされたエラーを含んでいたかどうかの表示を含まないことを示す、Ｃ７４に記載の装置。
［Ｃ７６］
前記送信メッセージは、それが、前記受信メッセージはバースト性干渉によって引き起こされたエラーを含んでいたかどうかの表示を含むことを示す、Ｃ７４に記載の装置。
［Ｃ７７］
前記送信メッセージはブロック肯定応答メッセージであり、予約されたフィールド中の１つまたは複数のビットは、前記メッセージが、前記受信されたメッセージはバースト性干渉によって引き起こされたエラーを含んでいたかどうかの表示を含まないことを示す、Ｃ７４に記載の装置。
［Ｃ７８］
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、Ｃ７４に記載の装置。
［Ｃ７９］
バースト性干渉についての情報が、ワイヤレス通信ネットワーク上でシグナリングされているかどうかを示すための装置であって、
前記ワイヤレスネットワークからメッセージを受信するための手段と、および
前記送信メッセージは、前記受信メッセージがバースト性干渉によって引き起こされたエラーを含んでいたかどうかの表示を、含むかどうかを示すメッセージを送信するための手段と、
を備える上記装置。
［Ｃ８０］
前記送信メッセージは、それが、前記受信メッセージがバースト性干渉によって引き起こされたエラーを含んでいたかどうかの表示を、含まないことを示す、Ｃ７９に記載の装置。
［Ｃ８１］
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含まないことを示す、Ｃ８０に記載の装置。
［Ｃ８２］
前記送信メッセージは、それが、前記受信メッセージはバースト性干渉によって引き起こされたエラーを含んでいたかどうかの表示を含むことを示す、Ｃ７９に記載の装置。
［Ｃ８３］
前記送信メッセージがブロック肯定応答メッセージであり、予約されたフィールド中の１つまたは複数のビットは、前記メッセージが、前記受信メッセージは、バースト性干渉によって引き起こされたエラーを含んでいたかどうかの表示を含むことを示す、Ｃ８２に記載の装置。
［Ｃ８４］
バースト性干渉についての情報がワイヤレス通信ネットワーク上でシグナリングされているかどうかを示すための装置であって、
前記ワイヤレスネットワークからメッセージを受信するための手段と、
前記送信メッセージが、前記受信メッセージはバースト性干渉によって引き起こされたエラーを含んでいたかどうかの表示を含む表示することを示すメッセージを送信するための手段と、
を備える上記装置。
［Ｃ８５］
前記送信メッセージは、それが、前記受信メッセージはバースト性干渉によって引き起こされたエラーを含んでいたかどうかの表示を含まないことを示す、Ｃ８４に記載の装置。
［Ｃ８６］
前記送信メッセージはブロック肯定応答メッセージであり、予約さけたフィールド中の１つまたは複数のビットは、前記メッセージが、前記受信メッセージはバースト性干渉によって引き起こされたエラーを含んでいたかどうかの表示を、含まないことを示す、Ｃ８５に記載の装置。
［Ｃ８７］
前記送信メッセージは、前記受信メッセージがバースト性干渉によって引き起こされたエラーを含んでいたかどうかの表示を含むことを示す、Ｃ８４に記載の装置。
［Ｃ８８］
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、Ｃ８７に記載の装置。
［Ｃ８９］
プロセッサによって実行されるとき、前記プロセッサに、バースト性干渉についての情報がワイヤレス通信ネットワーク上でシグナリングされているかどうかを示す方法を実施させる命令を備えるコンピュータ可読記憶媒体であって、前記方法は、
前記ワイヤレスネットワークからメッセージを受信することと、および
送信メッセージは、前記受信メッセージがバースト性干渉によって引き起こされたエラーを含んでいたかどうかの表示を含むかどうかを示すメッセージを送信することとを備える、
コンピュータ可読記憶媒体。
［Ｃ９０］
前記送信メッセージは、それが、前記受信メッセージはバースト性干渉によって引き起こされたエラーを含んでいたかどうかの表示を含まないことを示す、Ｃ８９に記載のコンピュータ可読記憶媒体。
［Ｃ９１］
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含まないことを示す、Ｃ９０に記載のコンピュータ可読記憶媒体。
［Ｃ９２］
前記送信メッセージは、それが、前記受信メッセージがバースト性干渉によって引き起こされたエラーを含んでいたかどうかの表示を含むことを示す、Ｃ８９に記載のコンピュータ可読記憶媒体。
［Ｃ９３］
前記送信メッセージはブロック肯定応答メッセージであり、予約されたフィールド中の１つまたは複数のビットは、前記メッセージが、前記受信メッセージはバースト性干渉によって引き起こされたエラーを含んでいたかどうかの表示を含むことを示す、Ｃ９２に記載のコンピュータ可読記憶媒体。
［Ｃ９４］
バースト性干渉についての情報がワイヤレス通信ネットワーク上でシグナリングされているかどうかを示す方法であって、
前記ワイヤレスネットワーク上でメッセージを送信することと、
前記受信メッセージは、前記送信メッセージの受信がバースト性干渉によって引き起こされたエラーを含んでいたかどうかの表示を含むかどうかを示すメッセージを受信することと、を備える方法。
［Ｃ９５］
前記受信メッセージは、それが、前記送信メッセージの受信がバースト性干渉によって引き起こされたエラーを含んでいたかどうかの表示を含まないことを示す、Ｃ９４に記載の方法。
［Ｃ９６］
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含まないことを示す、Ｃ９５に記載の方法。
［Ｃ９７］
前記受信メッセージは、それが、前記送信メッセージの受信はバースト性干渉によって引き起こされたエラーを含んでいたかどうかの表示を含むことを示すＣ９４に記載の方法。
［Ｃ９８］
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を前記メッセージが含むことを示す、Ｃ９７に記載の方法。
［Ｃ９９］
バースト性干渉についての情報がワイヤレス通信ネットワーク上でシグナリングされているかどうかを示すための装置であって、
前記ワイヤレスネットワークからメッセージを受信するように構成された受信機と、
送信されたメッセージが、前記受信メッセージはバースト性干渉によって引き起こされたエラーを含んでいたかどうかの表示を含むかどうかを示すメッセージを送信するように構成された送信機とを備える装置。
［Ｃ１００］
前記受信メッセージは、それが、前記送信メッセージの受信はバースト性干渉によって引き起こされたエラーを含んでいたかどうかの表示を含まないことを示す、Ｃ９９に記載の装置。
［Ｃ１０１］
前記受信メッセージはブロック肯定応答メッセージであり、予約されたフィールド中の１つまたは複数のビットは、前記メッセージが、前記送信メッセージの受信が、バースト性干渉によって引き起こされたエラーを含んでいたかどうかの表示を含まないことを示す、Ｃ１００に記載の装置。
［Ｃ１０２］
前記受信メッセージは、それが、前記送信メッセージの受信はバースト性干渉によって引き起こされたエラーを含んでいたかどうかの表示を含むことを示す、Ｃ９９に記載の装置。
［Ｃ１０３］
前記受信メッセージはブロック肯定応答メッセージであり、予約されたフィールド中の１つまたは複数のビットは、前記送信メッセージの受信がバースト性干渉によって引き起こされたエラーを含んでいたかどうかの表示を前記メッセージが含むことを示す、Ｃ１０２に記載の装置。
［Ｃ１０４］
バースト性干渉についての情報がワイヤレス通信ネットワーク上でシグナリングされているかどうかを示すための装置であって、
前記ワイヤレスネットワークからメッセージを受信するための手段と、
前記送信されたメッセージが、前記受信メッセージはバースト性干渉によって引き起こされたエラーを含んでいたかどうかの表示を含むかどうかを示すメッセージを送信するための手段と、を備える前記装置。
［Ｃ１０５］
前記受信メッセージは、それが、前記送信メッセージの受信はバースト性干渉によって引き起こされたエラーを含んでいたかどうかの表示を含まないことを示す、Ｃ１０４に記載の装置。
［Ｃ１０６］
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含まないことを示す、Ｃ１０５に記載の装置。
［Ｃ１０７］
前記受信メッセージは、それが、前記送信メッセージの受信はバースト性干渉によって引き起こされたエラーを含んでいたかどうかの表示を含むことを示す、Ｃ１０４に記載の装置。
［Ｃ１０８］
前記受信メッセージはブロック肯定応答メッセージであり、予約されたフィールド中の１つまたは複数のビットは、前記メッセージは、前記送信メッセージの受信がバースト性干渉によって引き起こされたエラーを含んでいたかどうかの表示を前記メッセージが含むことを示す、Ｃ１０７に記載の装置。
［Ｃ１０９］
プロセッサによって実行されるとき、それに、バースト性干渉についての情報がワイヤレス通信ネットワーク上でシグナリングされているかどうかの方法を実施させる命令を備えるコンピュータ可読記憶媒体であって、前記方法は、
前記ワイヤレスネットワークからメッセージを受信することと、
前記送信されたメッセージが、前記受信メッセージはバースト性干渉によって引き起こされたエラーを含んでいたかどうかの表示を含むかどうか、を示すメッセージを送信することとを備える、コンピュータ可読記憶媒体。
［Ｃ１１０］
前記受信メッセージは、それが、前記送信メッセージの受信が、バースト性干渉によって引き起こされたエラーを含んでいたかどうかの表示を含まないことを示す、Ｃ１０９に記載のコンピュータ可読記憶媒体。
［Ｃ１１１］
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含まないことを示す、Ｃ１１０に記載のコンピュータ可読記憶媒体。
［Ｃ１１２］
前記受信メッセージは、前記送信メッセージの受信がバースト性干渉によって引き起こされたエラーを含んでいたかどうかについての情報を含むことを示す、Ｃ１０９に記載のコンピュータ可読記憶媒体。
［Ｃ１１３］
前記受信メッセージはブロック肯定応答メッセージであり、予約されたフィールド中の１つまたは複数のビットは、前記メッセージが、前記送信メッセージの受信はバースト性干渉によって引き起こされたエラーを含んでいたかどうかの表示を含むことを示す、Ｃ１１２に記載のコンピュータ可読記憶媒体。
［Ｃ１１４］
ワイヤレスネットワーク上でのバースト性干渉の存在をシグナリングする方法であって、
前記ワイヤレスネットワークからメッセージを受信することと、
前記メッセージは、バースト性干渉によって引き起こされたエラーを含むかどうか判断することと、
単一のＭＰＤＵの否定応答メッセージを送信することと、前記否定応答メッセージは、前記受信メッセージが、バースト性干渉によって引き起こされたエラーを含んでいたかどうかを示す、
を備える上記方法。
［Ｃ１１５］
前記判断することは、
パイロットチャネルについての位相および／または周波数オフセットを追跡することと、
前記追跡された位相および／または周波数オフセットに基づいて、データチャネルに訂正を適用することと、
前記追跡された位相および／または周波数オフセットに基づいて、バースト性干渉を検出すること、
とを備える、Ｃ１１４に記載の方法。
［Ｃ１１６］
前記追跡された位相および／または周波数オフセットに基づいてバースト性干渉を前記検出することは、少なくとも１つのオフセットを閾値オフセットと比較することを備える、Ｃ１１５に記載の方法。
［Ｃ１１７］
前記送信メッセージ中のマルチキャスト受信機アドレスフィールドは、バースト性干渉によって引き起こされたエラーを示す、Ｃ１１４に記載の方法。
［Ｃ１１８］
ワイヤレスネットワーク上でのバースト性干渉の存在をシグナリングするための装置であって、
前記ワイヤレスネットワークからメッセージを受信するように構成された受信機と、
前記メッセージが、バースト性干渉によって引き起こされたエラーを含むかどうか判断するように構成されたプロセッサと、
単一のＭＰＤＵの否定応答メッセージを送信するように構成された送信機と、前記否定応答メッセージは、前記受信メッセージが、バースト性干渉によって引き起こされたエラーを含んでいたかどうかを示す、を備える上記装置。
［Ｃ１１９］
前記判断することは、
パイロットチャネルについての位相および／または周波数オフセットを追跡することと、
前記追跡された位相および／または周波数オフセットに基づいて、データチャネルに訂正を適用することと、
前記追跡された位相および／または周波数オフセットに基づいて、バースト性干渉を検出すること、
とを備えるＣ１１８に記載の装置。
［Ｃ１２０］
前記追跡された位相および／または周波数オフセットに基づいてバースト性干渉を前記検出することは、少なくとも１つのオフセットを閾値オフセットと比較すること、
を備えるＣ１１９に記載の装置。
［Ｃ１２１］
前記送信機は、前記送信メッセージ中のマルチキャスト受信機アドレスフィールドを、バースト性干渉によって引き起こされたエラーを示すようにセットするように構成される、Ｃ１１８に記載の装置。
［Ｃ１２２］
ワイヤレスネットワーク上でのバースト性干渉の存在をシグナリングするための装置であって、
前記ワイヤレスネットワークからメッセージを受信するための手段と、
前記メッセージが、バースト性干渉によって引き起こされたエラーを含むかどうか判断するための手段と、
単一のＭＰＤＵの否定応答メッセージを送信するための手段と、前記否定応答メッセージは、前記受信メッセージが、バースト性干渉によって引き起こされたエラーを含んでいたかどうかを示す、
を備える上記装置。
［Ｃ１２３］
判断するための前記手段は、
パイロットチャネルについての位相および／または周波数オフセットを追跡し、
前記追跡された位相および／または周波数オフセットに基づいて、データチャネルに訂正を適用し、
前記追跡された位相および／または周波数オフセットに基づいて、バースト性干渉を検出する、
ように構成されるＣ１２２に記載の装置。
［Ｃ１２４］
前記追跡された位相および／または周波数オフセットに基づいてバースト性干渉を前記検出することは、少なくとも１つのオフセットを閾値オフセットと比較すること、
を備える、Ｃ１２３に記載の装置。
［Ｃ１２５］
前記送信メッセージのメディアアクセス制御ヘッダのタイプおよびサブタイプは肯定応答メッセージを示す、Ｃ１２２に記載の装置。、
［Ｃ１２６］
送信するための前記手段は、前記送信メッセージ中のマルチキャスト受信機アドレスフィールドを、バースト性干渉によって引き起こされたエラーを示すようにセットするように構成される、Ｃ１２２に記載の装置。
［Ｃ１２７］
プロセッサによって実行されるとき、それに、ワイヤレスネットワーク上でのバースト性干渉の存在をシグナリングする方法を実施させる命令を備えるコンピュータ可読記憶媒体であって、前記方法は、
前記ワイヤレスネットワークからメッセージを受信することと、
前記メッセージが、バースト性干渉によって引き起こされたエラーを含むかどうか判断することと、
単一のＭＰＤＵの否定応答メッセージを送信することと、前記否定応答メッセージは、前記受信メッセージがバースト性干渉によって引き起こされたエラーを含んでいたかどうかを示す、
を備える、コンピュータ可読記憶媒体。
［Ｃ１２８］
前記判断することは、
パイロットチャネルについての位相および／または周波数オフセットを追跡することと、
前記追跡された位相および／または周波数オフセットに基づいて、データチャネルに訂正を適用することと、
前記追跡された位相および／または周波数オフセットに基づいて、バースト性干渉を検出することとを備える、
Ｃ１２７に記載のコンピュータ可読記憶媒体。
［Ｃ１２９］
前記追跡された位相および／または周波数オフセットに基づいてバースト性干渉を前記検出することは、少なくとも１つのオフセットを閾値オフセットと比較することを備える、Ｃ１２８に記載のコンピュータ可読記憶媒体。
［Ｃ１３０］
前記送信メッセージのメディアアクセス制御ヘッダのタイプおよびサブタイプは肯定応答メッセージを示す、Ｃ１２７に記載のコンピュータ可読記憶媒体。
［Ｃ１３１］
前記送信メッセージ中のマルチキャスト受信機アドレスフィールドは、バースト性干渉によって引き起こされたエラーを示す、Ｃ１２７に記載のコンピュータ可読記憶媒体。
［Ｃ１３２］
ワイヤレスネットワーク上でのバースト性干渉の存在をシグナリングする方法であって、
前記ワイヤレスネットワーク上でメッセージを送信することと、
単一のＭＰＤＵの否定応答メッセージを受信することと、前記否定応答メッセージは、前記送信メッセージの受信が、バースト性干渉によって引き起こされたエラーを含んでいたかどうかを示す、を備える方法。
［Ｃ１３３］
前記表示に基づいて送信パラメータを修正することをさらに備える、Ｃ１３２に記載の方法。
［Ｃ１３４］
前記送信メッセージ中のマルチキャスト受信機アドレスフィールドは、バースト性干渉によって引き起こされたエラーを示す、Ｃ１３２に記載の方法。
［Ｃ１３５］
ワイヤレスネットワーク上でのバースト性干渉の存在をシグナリングするための装置であって、
前記ワイヤレスネットワーク上でメッセージを送信するように構成された送信機と、
単一のＭＰＤＵの否定応答メッセージを受信するように構成された受信機と、前記否定応答メッセージは、前記送信メッセージの受信が、バースト性干渉によって引き起こされたエラーを含んでいたかどうかを示す、を備える装置。
［Ｃ１３６］
前記表示に基づいて送信パラメータを修正するように構成されたプロセッサをさらに備える、Ｃ１３５に記載の装置。
［Ｃ１３７］
前記送信メッセージ中のマルチキャスト受信機アドレスフィールドは、バースト性干渉によって引き起こされたエラーを示す、Ｃ１３５に記載の装置。
［Ｃ１３８］
ワイヤレスネットワーク上でのバースト性干渉の存在をシグナリングするための装置であって、
前記ワイヤレスネットワーク上でメッセージを送信するための手段と、
単一のＭＰＤＵについての否定応答メッセージを受信するための手段と、前記否定応答メッセージは、前記送信メッセージの受信がバースト性干渉によって引き起こされたエラーを含んでいたかどうかを示す、を備える装置。
［Ｃ１３９］
前記表示に基づいて、送信パラメータを修正するための手段をさらに備える、Ｃ１３８に記載の装置。
［Ｃ１４０］
前記送信メッセージのメディアアクセス制御ヘッダのタイプおよびサブタイプは肯定応答メッセージを示す、Ｃ１３８に記載の装置。
［Ｃ１４１］
前記送信メッセージ中のマルチキャスト受信機アドレスフィールドは、バースト性干渉によって引き起こされたエラーを示す、Ｃ１３８に記載の装置。
［Ｃ１４２］
ワイヤレスネットワーク上でのバースト性干渉の存在をシグナリングするための装置であって、
前記ワイヤレスネットワーク上でメッセージを送信するための手段と、
単一のＭＰＤＵについての否定応答メッセージを受信するための手段と、前記否定応答は、前記送信メッセージの受信がバースト性干渉によって引き起こされたエラーを含んでいたかどうかを示す、を備える装置。
［Ｃ１４３］
前記表示に基づいて、送信パラメータを修正するための手段をさらに備える、Ｃ１４２に記載の装置。
［Ｃ１４４］
前記送信メッセージのメディアアクセス制御ヘッダのタイプおよびサブタイプは肯定応答メッセージを示す、Ｃ１４２に記載の装置、
［Ｃ１４５］
プロセッサによって実行されるとき、それに、ワイヤレスネットワーク上でのバースト性干渉の存在をシグナリングする方法を実施させる命令を備えるコンピュータ可読記憶媒体であって、前記方法は、
前記ワイヤレスネットワーク上でメッセージを送信することと、
単一のＭＰＤＵについての否定応答メッセージを受信することと、前記否定応答メッセージは、前記送信メッセージの受信が、バースト性干渉によって引き起こされたエラーを含んでいたかどうかを示す、を備える、コンピュータ可読記憶媒体。
［Ｃ１４６］
前記受信メッセージ中のマルチキャスト受信機アドレスフィールドは、バースト性干渉によって引き起こされたエラーを示す、Ｃ１４５に記載のコンピュータ可読記憶媒体。
［Ｃ１４７］
前記表示に基づいて送信パラメータを修正することをさらに備える、Ｃ１４５に記載のコンピュータ可読記憶媒体。
［Ｃ１４８］
前記送信メッセージのメディアアクセス制御ヘッダのタイプおよびサブタイプは肯定応答メッセージを示す、Ｃ１４５に記載のコンピュータ可読記憶媒体。
【外国語明細書】
2018074600000001.pdf